(57)【要約】【課題】  小束紙幣の収納に要する時間を短縮することができる小束紙幣処理機の提供。【解決手段】  所定枚数集積状態とされたバラ紙幣を結束テープで結束して小束紙幣とする結束部７５から小束紙幣を受け取って搬送する束振分部８０と、束振分部８０から小束紙幣を受け取って収納させる複数の束収納部８１〜８６とを有し、束振分部８０は、結束部７５から受け取った小束紙幣を複数束集積させて貯留可能であり、集積状態で貯留させた複数束の小束紙幣を一括して束収納部８１〜８６に受渡可能とされている。【選択図】        図１
2006252070.tif 000002
【特許請求の範囲】
【請求項１】
所定枚数集積状態とされたバラ紙幣を結束テープで結束して小束紙幣とする結束部から小束紙幣を受け取って搬送する束振分部と、該束振分部から小束紙幣を受け取って収納させる複数の束収納部とを有する小束紙幣処理機であって、
前記束振分部は、前記結束部から受け取った小束紙幣を複数束集積させて貯留可能であり、集積状態で貯留させた複数束の小束紙幣を一括して前記束収納部に受渡可能とされていることを特徴とする小束紙幣処理機。
【請求項２】
前記束振分部は、束出金口に移動することで、集積状態で貯留させた複数束の小束紙幣を前記束出金口から出金可能とされていることを特徴とする請求項１記載の小束紙幣処理機。
【請求項３】
前記束振分部は、前記束出金口側に開閉可能な扉が設けられていることを特徴とする請求項２記載の小束紙幣処理機。
【請求項４】
前記束振分部は、前記束収納部から小束紙幣を受取可能であって、該束収納部から受け取った小束紙幣を複数束集積させて貯留可能であることを特徴とする請求項２または３記載の小束紙幣処理機。
【請求項５】
前記束振分部は、前記複数の束収納部の配列方向に沿ってこれら束収納部の上側を一方向に水平移動することで、各束収納部に対して小束紙幣を受渡可能とされるとともに、前記一方向に沿って機体の端側に移動することで小束紙幣を前記束出金口から出金可能とされていることを特徴とする請求項２乃至４のいずれか一項記載の小束紙幣処理機。
【請求項６】
前記束振分部は、小束紙幣を複数束集積させて貯留可能な貯留空間を有する貯留部枠体と、該貯留部枠体に対し側方移動可能であって前記貯留空間の下方開口部を開閉可能な底板とを有することを特徴とする請求項１乃至５のいずれか一項記載の小束紙幣処理機。
【発明の詳細な説明】
【技術分野】
【０００１】
本発明は、小束紙幣を取り扱う小束紙幣処理機に関する。
【背景技術】
【０００２】
バラ紙幣を結束する紙幣結束機に関する技術として、機体下部右側に、入金口に入金されたバラ紙幣を搬送しつつ識別し、識別結果に基づいて金種別に一時貯留させるとともに、入金が確定するとバラ紙幣を金種別に収納させるバラ紙幣処理部が設けられ、機体上部に、バラ紙幣処理部から繰り出されたバラ紙幣を所定枚数ずつ集積させて結束テープを巻き回して小束紙幣とする結束処理部が設けられ、さらに、機体下部左側に小束紙幣を出金可能に金種別の束収納部に収納させる束紙幣処理部が設けられたものがある（例えば特許文献１参照）。
【０００３】
また、上記と同様の紙幣結束機であって、束紙幣処理部における束紙幣の複数の束収納部への振り分け、収納および繰り出しの構造が異なるものがある（例えば特許文献２参照）。
【特許文献１】特開２０００−１７７９３５号公報
【特許文献２】特開２００４−１０２６６９号公報
【発明の開示】
【発明が解決しようとする課題】
【０００４】
上記したいずれの紙幣結束機においても、結束部で結束した小束紙幣を束収納部に一束ずつ収納させるようになっており、収納に要する時間が長くなってしまうという問題があった。
【０００５】
したがって、本発明は、小束紙幣の収納に要する時間を短縮することができる小束紙幣処理機の提供を目的とする。
【課題を解決するための手段】
【０００６】
上記目的を達成するために、請求項１に係る発明は、所定枚数集積状態とされたバラ紙幣を結束テープで結束して小束紙幣とする結束部（例えば実施形態の結束部７５）から小束紙幣を受け取って搬送する束振分部（例えば実施形態の束振分部８０）と、該束振分部から小束紙幣を受け取って収納させる複数の束収納部（例えば実施形態の束カセット８１〜８６）とを有する小束紙幣処理機（例えば実施形態の紙幣処理機１１）であって、前記束振分部は、前記結束部から受け取った小束紙幣を複数束集積させて貯留可能であり、集積状態で貯留させた複数束の小束紙幣を一括して前記束収納部に受渡可能とされていることを特徴としている。
【０００７】
請求項２に係る発明は、請求項１に係る発明において、前記束振分部は、束出金口（例えば実施形態の束出金口９０）に移動することで、集積状態で貯留させた複数束の小束紙幣を前記束出金口から出金可能とされていることを特徴としている。
【０００８】
請求項３に係る発明は、請求項２に係る発明において、前記束振分部は、前記束出金口側に開閉可能な扉（例えば実施形態の背板１２６）が設けられていることを特徴としている。
【０００９】
請求項４に係る発明は、請求項２または３に係る発明において、前記束振分部は、前記束収納部から小束紙幣を受取可能であって、該束収納部から受け取った小束紙幣を複数束集積させて貯留可能であることを特徴としている。
【００１０】
請求項５に係る発明は、請求項２乃至４のいずれか一項に係る発明において、前記束振分部は、前記複数の束収納部の配列方向に沿ってこれら束収納部の上側を一方向に水平移動することで、各束収納部に対して小束紙幣を受渡可能とされるとともに、前記一方向に沿って機体（例えば実施形態の機体１２）の端側に移動することで小束紙幣を前記束出金口から出金可能とされていることを特徴としている。
【００１１】
請求項６に係る発明は、請求項１乃至５のいずれか一項に係る発明において、前記束振分部は、小束紙幣を複数束集積させて貯留可能な貯留空間（例えば実施形態の貯留空間１１８）を有する貯留部枠体（例えば実施形態の貯留部枠体１１１）と、該貯留部枠体に対し側方移動可能であって前記貯留空間の下方開口部（例えば実施形態の下方開口部１２２）を開閉可能な底板（例えば実施形態の底板１３１）とを有することを特徴としている。
【発明の効果】
【００１２】
請求項１に係る発明によれば、結束部から小束紙幣を受け取って搬送する束振分部が結束部から受け取った小束紙幣を複数束集積させて貯留させることになり、このように集積状態で貯留させた複数束の小束紙幣を一括して束収納部に受け渡す。これにより、小束紙幣の収納に要する時間を大幅に短縮することができる。
【００１３】
請求項２に係る発明によれば、束振分部は、束出金口に移動することで、集積状態で貯留させた複数束の小束紙幣を束出金口から出金させることができる。したがって、結束部で結束させた複数束の小束紙幣を一括して機外に出金させることができる。
【００１４】
請求項３に係る発明によれば、束振分部は、束出金口側に開閉可能な扉が設けられているため、移動時に扉を閉めておき、出金時にこの扉を開くことで、複数束の小束紙幣を集積状態で確実に搬送することができ、出金時には良好に取り出させることができる。
【００１５】
請求項４に係る発明によれば、束振分部が、束収納部から小束紙幣を受け取って複数束集積させた状態で、束出金口側に移動すれば、束収納部からの出金用の搬送機構も兼ねることができる。したがって、コストを低減することができ、コンパクト化が図れる。
【００１６】
請求項５に係る発明によれば、束振分部が、複数の束収納部の配列方向に沿ってこれら束収納部の上側を一方向に水平移動することで、各束収納部に対して小束紙幣を受け渡したり、各束収納部から小束紙幣を受け取ったり、束出金口から小束紙幣を出金させたりできるため、構造を簡素化することができるとともに、高さ方向にコンパクト化が図れる。
【００１７】
請求項６に係る発明によれば、束振分部が、小束紙幣を複数束集積させて貯留可能な貯留部枠体と、貯留部枠体に対し側方移動可能な底板とを有するため、簡素な構造であっても、複数束の小束紙幣を安定して搬送することができ、複数束を一括して束収納部に受け渡すことができる。
【発明を実施するための最良の形態】
【００１８】
本発明の一実施形態に係る紙幣処理機（小束紙幣処理機）を図面を参照して以下に説明する。
【００１９】
本実施形態の紙幣処理機１１は、図１に示すように、その機体１２が略直方体形状をなしており、機体１２の操作者側となる正面から見て右側部分が、入金されたバラ紙幣を収納し、収納したバラ紙幣を必要に応じて出金させる図１（ｃ）に示すバラ紙幣処理部１３とされる一方、機体１２の正面から見て左側部分が、バラ紙幣を所定枚数（１００枚）で結束して小束紙幣として収納し、収納した小束紙幣を必要に応じて出金させる図１（ｂ）に示す束紙幣処理部１４とされている。ここで、機体１２の上部には、これらに共通で、表示を行う液晶画面等の表示部１５が正面から見て右側に、操作入力がなされる操作部１６が正面から見て左側に設けられている。
【００２０】
図１（ｃ）に示すバラ紙幣処理部１３は、機体１２の前面１２Ｆ側の上部に、バラ紙幣が積層状態で投入される入金口２１が設けられており、この入金口２１の上側に機体１２内からバラ紙幣が繰り出されるバラ紙幣出金口２２が設けられ、入金口２１の下側に機体１２内からリジェクト紙幣が繰り出されるリジェクト口２３が設けられている。
【００２１】
入金口２１には、入金口２１に投入されたバラ紙幣を一枚ずつ分離して機体１２内に取り込み機体後方に向けて搬送する搬送路２６が接続されており、この搬送路２６には、入金されたバラ紙幣の金種、真偽、正損、表裏方向および搬送異常の有無の識別と計数とを行う入金識別部２７が設けられている。なお、バラ紙幣は、長手方向を機体左右方向に沿わせた姿勢で入金口２１に投入されるとともに、常にこの姿勢を維持した状態で機体１２内で移動する。
【００２２】
この搬送路２６の末端位置には、上下二方向に分岐した後に合流する搬送路２８，２９が接続されており、これらのうちの下方に分岐した搬送路２９からは、さらに搬送路３０が分岐し機体前方側に延びてリジェクト口２３に接続されている。また、上方に分岐した搬送路２８にはバラ紙幣の表裏を反転させる表裏反転部３１が設けられている。
【００２３】
搬送路２８，２９が合流した後の搬送路３４は、再び上下二方向に分岐する搬送路３５，３６に分岐され、下方に延出する搬送路３６は、屈曲して機体前方側に延出する。この搬送路３６は搬送方向に沿って上流側から順に複数具体的には五方向に分岐しており、各分岐部分の末端位置には、バラ紙幣を集積状態で一時貯留させる一時貯留部４４〜４８が一対一で接続されている。各一時貯留部４４〜４８の下方には、一時貯留部４４〜４８のうち上方のものからバラ紙幣を受け入れて収納するとともに収納した紙幣を最下のものから一枚ずつ出金可能なバラ紙幣収納部５１〜５５が一対一で設けられている。
【００２４】
他方、上方に延出する搬送路３５も屈曲して機体前方側に延出した後、さらに複数方向具体的には二方向に分岐しており、各分岐部分の末端位置には、上下二段に並べられた集積部５９，６０が一対一で接続されている。
【００２５】
上記したバラ紙幣収納部５１〜５５は、出金させるバラ紙幣を搬送する搬送路６３に接続されており、この搬送路６３には、出金されたバラ紙幣の金種、真偽、正損および搬送異常の有無の識別と計数とを行う出金判別部６４が設けられている。
【００２６】
この搬送路６３の末端位置は、二方向に分岐する搬送路６５，６６に接続されている。一方の搬送路６５は搬送路３６に合流しており、他方の搬送路６６はさらに二方向に分岐する搬送路６７，６８に接続されている。これらのうち一方の搬送路６７は搬送路３５に合流しており、他方の搬送路６８はバラ紙幣出金口２２に接続されている。この搬送路６８の途中位置から搬送路６９が分岐しており、この搬送路６９は出金リジェクトボックス７０に接続されている。
【００２７】
このような構成のバラ紙幣処理部１３においては、入金口２１に投入されたバラ紙幣を機体１２内に収納するバラ紙幣収納処理時および入金口２１に投入されたバラ紙幣のうち指定金種の紙幣を結束して小束紙幣とするローカル整理処理時において、入金口２１に投入され搬送路２６で機体１２内に取り込まれたバラ紙幣は、まず入金識別部２７で識別されることになる。そして、入金識別部２７で真紙幣かつ正紙幣かつ正常搬送の紙幣と識別され所定の表裏方向に向いていると識別されたバラ紙幣は搬送路２９に搬送されることになり、入金識別部２７で真紙幣かつ正紙幣かつ正常搬送の紙幣と識別され所定の表裏方向に向いていないと判別されたバラ紙幣は搬送路２８に搬送されて表裏反転部３１で表裏が反転されることで搬送路２９に搬送されたものと表裏が取り揃えられる。他方、入金識別部２７で真紙幣かつ正紙幣かつ正常搬送の紙幣と識別された紙幣以外のバラ紙幣は搬送路２９，３０を介してリジェクト口２３に返却される。
【００２８】
バラ紙幣収納処理時には、上記のようにして表裏が取り揃えられたバラ紙幣が、搬送路３６で金種別に分けられて一時貯留部４４〜４８の対応する金種のものに送り込まれることになり、一時貯留部４４〜４８で一時貯留された後、入金識別部２７による識別結果の表示部１５への表示に基づいて入金確定操作が操作部１６に入力されると、金種別に分けられた状態でバラ紙幣収納部５１〜５５に収納される。他方、ローカル整理処理時には、表裏が取り揃えられたバラ紙幣が、搬送路３５によって集積部５９，６０のいずれかに送られることになる。ここで、各集積部５９，６０では、それぞれ、送り込まれた紙幣を位置を合わせて所定枚数上下方向に集積させる。
【００２９】
バラ紙幣収納部５１〜５５に収納されたバラ紙幣を出金させるバラ紙幣出金処理時、バラ紙幣収納部５１〜５５に収納されたバラ紙幣を結束して小束紙幣とする結束処理時、バラ紙幣収納部５１〜５５に収納されたバラ紙幣の収納量を確定する精査処理時およびバラ紙幣収納部５１〜５５のうちの所定のものに収納された混合金種の紙幣を他のものに装填する装填処理時には、バラ紙幣収納部５１〜５５の少なくとも一つから紙幣を搬送路６３に繰り出すことになり、繰り出された紙幣は、まず出金判別部６４で判別されることになる。そして、出金判別部６４で真紙幣かつ正紙幣かつ正常搬送の出金可能紙幣と判別されたバラ紙幣は、バラ紙幣出金処理時には、搬送路６６，６８を介してバラ紙幣出金口２２に繰り出されることになり、結束処理時には、搬送路６６，６７，３５によって集積部５９，６０のいずれか一方に送られて集積部５９，６０のいずれか一方で所定枚数ずつ位置を合わせて集積される。また、精査処理時および装填処理時には、搬送路６５，３６によって一時貯留部４４〜４８のうちの対応するものに搬送される。他方、いずれの場合も、出金判別部６４で真紙幣かつ正紙幣かつ正常搬送の紙幣と識別された紙幣以外のバラ紙幣は搬送路６６，６８，６９を介して出金リジェクトボックス７０に収納される。
【００３０】
上記した集積部５９，６０の機体前方側には、各集積部５９，６０において所定枚数集積されたバラ紙幣からなる集積紙幣を集積状態のまま受け取って束紙幣処理部１４に移送する機体左右方向に移動可能なバッチ移送部７４が設けられている。
【００３１】
図１（ｂ）に示す束紙幣処理部１４は、バッチ移送部７４で所定の結束位置まで移送された集積紙幣を受け取って結束テープを巻き回す、つまり結束テープで結束する結束処理を行って小束紙幣とする結束部７５と、結束部７５の機体前方側に設けられて、バッチ移送部７４が集積部５９，６０から集積紙幣を受取可能な位置まで戻った状態で、結束部７５から機体左右方向に沿う長手方向位置を一定させて機体前方側に押し出される小束紙幣を一束ずつ受け取り下方に搬送して下流側に受け渡し可能な束受渡部７６とを有している。なお、バッチ移送部７４は、集積部５９，６０で結束枚数に満たない端数紙幣を集積部５９，６０から受け取って直接または結束部７５を介して、結束させずにそのまま束受渡部７６に受け渡すようになっている。また、結束部７５は、ジャム処理等のために機体１２の右側面１２Ｒから引出可能となっている。
【００３２】
束紙幣処理部１４は、結束部７５の下側に機体前後方向に水平移動可能に設けられるとともに束受渡部７６から図２にも示すように小束紙幣Ｗを受け取ってこれを一時貯留可能であってしかも複数の小束紙幣Ｗを上下方向に集積させた状態で一時貯留可能な略箱状の束振分部（束受取部）８０と、束振分部８０の下側に図１（ｂ）に示すように機体前後方向に配列されるとともに、束振分部８０との間で小束紙幣Ｗを受け渡し可能であって受け取った小束紙幣Ｗを複数束収納可能な複数具体的には六つの束カセット（束収納部）８１〜８６とを有している。なお、束カセット８１〜８６はすべて機体１２に対し着脱可能としても良いが、少なくとも一つの束カセット８１のみが機体１２に対し着脱可能とされている。
【００３３】
ここで、束カセット８１〜８６は高さを合わせて機体前後方向に直線状に配列されており、束振分部８０は、束カセット８１〜８６の上側においてこれらの配列方向である機体前後方向（一方向）に水平移動する。このようにして、束振分部８０は、集積状態で一時貯留させた複数の小束紙幣Ｗを搬送する。また、束振分部８０は、このように搬送する複数の小束紙幣Ｗを束カセット８１〜８６の中から選択されたいずれか一つに一括して受け渡して収納させることが可能となっており、すべての束カセット８１〜８６に対しこのような複数の小束紙幣Ｗの一括収納が可能となっている。さらに、束振分部８０は、複数の束カセット８１〜８６のいずれか一つあるいは複数から小束紙幣Ｗを収納された最上のものから一束ずつ受け取りながら複数束集積状態で貯留可能となっており、すべての束カセット８１〜８６から小束紙幣Ｗを受取可能となっている。なお、束振分部８０は束カセット８１〜８６への受け渡しが可能であるとともに束カセット８１〜８６からの受け取りが可能であるため、束カセット８１〜８６の間でも小束紙幣Ｗの移載が可能となっている。
【００３４】
なお、例えば、束カセット８１は、小束紙幣Ｗを機外から装填する装填処理時や機外に回収する回収処理時、さらには在り高を確定する自己精査処理時に用いられ、それ以外の状態では空とされる装填用カセットとなっており、束カセット８３〜８６は、それぞれが所定の単一の小束紙幣Ｗを収納する単一金種収納用カセットとなっている。また、束カセット８２は、束カセット８３〜８６のいずれかが満杯になったときに、オーバーフロー分の小束紙幣Ｗを収納させる（つまり小束紙幣Ｗを金種混合で収納させる）混合金種収納用カセットとなっている。機体１２の小型化のために束カセット８２を設けないようにもできる。勿論、これ以外の収納形態としても良い。
【００３５】
さらに、束紙幣処理部１４は、機体前面１２Ｆの上部に設けられた上部開口部８７と、この上部開口部８７の下端側に機体左右方向に沿って設けられた軸８８を中心に揺動可能に設けられた開閉板８９と、開閉板８９を閉状態でロックする図３に示すロック機構７９とを有している。ここで、開閉板８９は、閉状態で上部開口部８７を閉じかつ機体前面１２Ｆを構成する一方、上部を手前に倒すように揺動することで上部開口部８７を開く。なお、開閉板８９の裏側には上記した束受渡部７６が支持可能となっている。
【００３６】
加えて、束紙幣処理部１４は、図１（ｂ）に示すように、機体前面１２Ｆの開閉板８９よりも下側に設けられ、機体１２の前端側に位置する束振分部８０から、これに集積状態で貯留された複数束の小束紙幣Ｗを機外に取り出し、つまり出金可能とする束出金口９０と、この束出金口９０に上下にスライドするように設けられて束出金口９０を開閉させるスライドシャッタ９１と、スライドシャッタ９１を駆動する図３に示すシャッタ駆動機構９４とを有している。
【００３７】
さらに、束紙幣処理部１４は、機体前面１２Ｆの束出金口９０よりも下側の下部に設けられた機外に開口する放出口９２と、放出口９２の上端縁部に機体左右方向に沿う軸周りに回転可能に吊り下げられて放出口９２を開閉させる揺動シャッタ９９と、最も機体前方側の束カセット８１よりも機体前方側にあって束受渡部７６から受け入れた小束紙幣Ｗを下部の放出口９２から機外に放出させる束放出ダクト９３とを有している。この束放出ダクト９３の機体前後方向の幅は、小束紙幣Ｗの厚さよりも広く、かつ小束紙幣Ｗの短手方向の長さよりも狭くされている。また、この束放出ダクト９３は束出金口９０の下方に設けられている。
【００３８】
束受渡部７６は、上記したように、結束部７５からの小束紙幣Ｗを一束ずつ上下方向に挟持して束振分部８０に受け渡すものであり、図４に示すように、機体前面１２Ｆの裏側に昇降可能に設けられたベース部材９６と、このベース部材９６から機体後方に向けて延出するようにこのベース部材９６に水平状態で支持される上下二枚の束押さえガイド板（板部材）９７および受皿（板部材）９８とを有している。ここで、上側の束押さえガイド板９７は、下側の受皿９８に近接および離間するようにベース部材９６に昇降可能に支持されしかも受皿９８に近接する方向に図示略のスプリングで付勢されており、ベース部材９６に設けられた図３に示すガイド板駆動機構１０１で下側から支持されてベース部材９６に対し昇降させられる。このガイド板駆動機構１０１は、束押さえガイド板９７に係脱可能とされている。
【００３９】
そして、束受渡部７６は、図１（ｂ）に示す結束部７５から長手方向位置を一定させて機体前方側に押し出される小束紙幣Ｗの長手方向中央部を、図２に示すように受皿９８および束押さえガイド板９７で上下方向から機体後方に抜出可能に挟持する。なお、受皿９８および束押さえガイド板９７の機体左右方向の幅は小束紙幣Ｗの長手方向の長さよりも短くされている。
【００４０】
また、下側の受皿９８は、束押さえガイド板９７よりも機体後方側に突出する長さを有しており、ベース部材９６に対し基端側の機体左右方向に沿う図４に示す軸１０４を中心に下方に回動可能とされている。つまり、受皿９８は、ベース部材９６に設けられた図３に示す受皿駆動機構１０５で駆動されて、束押さえガイド板９７と平行をなす状態と先端側を束押さえガイド板９７から下方に離間させる状態との間で揺動可能となっている。
【００４１】
ベース部材９６は、機体１２の図１（ａ）に示す右側面１２Ｒを構成し結束部７５が機体１２に対し引き出される際に結束部７５と一緒に移動する側面板１００の内側に設けられた図３に示すベース部材駆動機構１０８で、受皿９８および束押さえガイド板９７を結束部７５の機体前方側に位置させる上限位置から、下方の束振分部８０の機体前方側に位置させる下限位置までの間で上下方向に移動させられる。これにより、小束紙幣Ｗは、束押さえガイド板９７と受皿９８とで上下両側から挟持された状態で上下に移送される。なお、このベース部材駆動機構１０８は、ベース部材９６を下方から支持して上方に押し上げるのみであり、束受渡部７６は自重で下降する。また、ベース部材駆動機構１０８は、ベース部材９６に対し係脱可能とされている。
【００４２】
なお、ベース部材９６は、上限位置にあるとき、図１（ｂ）に示す開閉板８９に支持されることになり、開閉板８９を手前に開ければ、これと一体に受皿９８および束押さえガイド板９７を揺動させるようになっている（後述）。これは例えばローカル整理処理のときに、結束されていない端数枚の紙幣を開閉板８９を開くことで容易に回収可能とするものである。また、開閉板８９を開けることで、機外から機内へ手を挿入可能となり、ジャムが生じた場合に、開閉板８９の後側にある結束部７５等に対しジャム束等を取り除くことが可能となる。
【００４３】
ただし、開閉板８９は、ベース部材９６が受皿９８を結束部７５からの束を受け入れ可能とする上限位置に位置しているときのみ開作動可能とされており、それ以外の位置にベース部材９６があるときにはロック機構７９で閉状態にロックされている。また、結束部７５も、ベース部材９６が上限位置に位置しているときのみ引き出し可能とされており、それ以外の位置にベース部材９６があるときには閉状態でロックされている。なお、開閉板８９が閉状態にある昇降時において束受渡部７６は機体前後方向および機体左右方向の位置が一定している。
【００４４】
束振分部８０は、図１（ｂ）に示すように、機体上部の結束部７５および上限位置にある束受渡部７６と、機体下部の複数の束カセット８１〜８６との間で水平方向に移動可能とされており、下側に位置する状態の束受渡部７６から小束紙幣Ｗを受け取るとともに、受け取った小束紙幣Ｗを複数束同時に一時貯留可能となっている。また、束振分部８０は、一時貯留させている複数束の小束紙幣Ｗを複数の束カセット８１〜８６のいずれかに選択的に一括収納可能であって、さらには、複数の束カセット８１〜８６のいずれか一つまたは複数から、小束紙幣Ｗを一束ずつ受け取り可能となっている。加えて、束振分部８０は、一時貯留させている複数束の小束紙幣Ｗを機体前面１２Ｆに開閉可能に設けられた束出金口９０から出金可能とされている。
【００４５】
束振分部８０は、図２および図４に示すように、略箱状の貯留部枠体１１１と略板状の繰出収納体１１２とを有している。貯留部枠体１１１と繰出収納体１１２とは、図３に示す貯留部枠体駆動機構１１３と繰出収納体駆動機構１１４とによりそれぞれ独立して機体１２の前後方向に往復移動可能となっている。なお、貯留部枠体１１１は、高さ位置および機体左右方向の位置を一定させた状態で機体前後方向にのみ水平移動する。繰出収納体１１２も高さ位置および機体左右方向の位置を一定させた状態で機体前後方向にのみ水平移動する。
【００４６】
貯留部枠体１１１は、図４（ａ）に示すように、機体左右方向に対し直交するとともに機体左右方向に離間して配置される一対の側壁部１１６と、機体前後方向に対し直交するとともにこれら側壁部１１６を機体後方側で結ぶ内壁部１１７とを有しており、側壁部１１６同士の間であって内壁部１１７よりも機体前方側に、複数束の小束紙幣Ｗを長手方向を機体左右方向に沿わせた水平姿勢で上下方向に集積させて貯留可能な貯留空間１１８が形成されている。貯留空間１１８は機体前方側つまり図４（ｂ）に示す束出金口９０側の前方開口部１２１において図４（ａ）に示すように機体前方側に開口しており、下方つまり束カセット８１〜８６側の図４（ｂ）に示す下方開口部１２２において下方に開口している。これら前方開口部１２１および下方開口部１２２は、それぞれ小束紙幣Ｗを出入りさせることが可能な大きさに形成されている。
【００４７】
図４（ａ）に示すように、貯留部枠体１１１の前方開口部１２１の左右両側には鉛直方向に沿う軸１２５が配設されており、これら軸１２５にはそれぞれ背板（扉）１２６が軸１２５を中心に回転可能に支持されている。これら背板１２６は、軸１２５から相互近接方向に延出して前方開口部１２１を狭める閉状態と、軸１２５から機体前方側つまり束出金口９０の方向に延出して前方開口部１２１を広げる開状態との間で、図３に示す背板駆動機構１２７によって揺動させられる。
【００４８】
なお、このように開閉可能とされた両背板１２６の間隔は、両背板１２６が前方開口部１２１の一部を閉じる閉状態にあるとき、前方開口部１２１の残りの開口部分が、束受渡部７６の受皿９８および束押さえガイド板９７に挟持された小束紙幣Ｗを機体前後方向に通過させることが不可であって、しかもこれら受皿９８および束押さえガイド板９７を出入りさせることが可能であり、他方、両背板１２６が開状態にあるとき、前方開口部１２１が、束受渡部７６の受皿９８および束押さえガイド板９７に挟持された小束紙幣Ｗを機体前後方向に通過させることが可能な大きさに設定されている。これにより、束振分部８０は、小束紙幣Ｗを貯留空間１１８に対し機体前後方向において、出し入れしたり、貯留空間１１８に保持したりすることができるようになっている。
【００４９】
図４（ｂ）に示すように、貯留部枠体１１１の下側には、下方開口部１２２を開閉させる底板１３１が、貯留部枠体１１１に設けられた図３に示す底板駆動機構１３２で貯留部枠体１１１に対して側方移動可能、具体的には機体前後方向に水平移動可能に設けられている。また、貯留部枠体１１１には、その貯留空間１１８内を上下に昇降可能であって底板１３１との間で貯留空間１１８の小束紙幣Ｗを挟持可能な貯留束押さえ板１３５が設けられている。この貯留束押さえ板１３５は、底板１３１の方向つまり下方に図示略のスプリングで付勢されており、貯留部枠体１１１に設けられた、貯留束押さえ板１３５に対し係脱可能な図３に示す貯留束押さえ板駆動機構１３６で下側から支持されて昇降する。
【００５０】
なお、底板１３１は、貯留部枠体１１１の下方開口部１２２を全面的に塞ぐことが可能な大きさとされており、貯留部枠体１１１に対し機体前方側に移動することで下方開口部１２２を開放させる。また、底板１３１の後端縁部には、端側ほど高さが低くなるように傾斜する傾斜面１３８が形成されている。
【００５１】
貯留束押さえ板１３５は、図４（ａ）に示すように、機体前方側つまり前方開口部１２１側の端縁部に凹状の切欠部１３９が形成されており、この切欠部１３９は、受皿９８の先端部を上下に通過させることが可能な大きさとされている。
【００５２】
そして、束振分部８０は、これら貯留束押さえ板１３５および底板１３１の間に小束紙幣Ｗを上下に積み重ねるようにして収納させた状態で機体前後方向に水平に移動することになるが、貯留束押さえ板１３５には、その高さ位置を検出する図３に示す束押さえ板高さセンサ１４０が設けられている。この束押さえ板高さセンサ１４０が貯留空間１１８内の最上の小束紙幣Ｗの高さを検出することになり、これに基づいて貯留空間１１８内の小束紙幣Ｗの数を正確に把握可能になっている。
【００５３】
図４（ｂ）に示すように、貯留部枠体１１１の内壁部１１７の貯留空間１１８とは反対つまり機体後方側に隣接空間１４３が形成されている。この隣接空間１４３の上部には下方に画像検出方向を向けたＣＣＤカメラ（金種判別手段，画像検出手段）１４４が貯留部枠体１１１に固定された状態で設けられている。この隣接空間１４３は下方に開口する下方開口部１４５を有しており、この下方開口部１４５を閉塞可能となるように上記した繰出収納体１１２が水平移動可能に設けられている。つまり、繰出収納体１１２は、底板１３１の下部開口部１２２の開放時移動方向である機体前方側に対し反対の機体後方側に設けられている。この繰出収納体１１２は、束カセット８１〜８６に収納された最上位置の小束紙幣Ｗを、貯留束押さえ板１３５または貯留空間１１８に既に貯留されている最下の小束紙幣Ｗと底板１３１との間に押し込むものである。
【００５４】
なお、内壁部１１７の下端部の高さは、底板１３１の上面の高さよりも小束紙幣Ｗの一つ分の厚さに相当する高さ分高くなっており、これにより、内壁部１１７の下側は貯留空間１１８と隣接空間１４３とを水平方向に連通させる連通開口部１４８とされている。つまり、この連通開口部１４８によって、小束紙幣Ｗを一束だけ貯留空間１１８と隣接空間１４３との間で出入りさせることが可能となっている。この連通開口部１４８は、繰出収納体１１２が隣接空間１４３の下方開口部１４５を閉塞させた状態にあるとき、この繰出収納体１１２の機体前方側つまり束出金口９０側の前端面１１２Ｆで閉塞される。ここで、貯留空間１１８における内壁部１１７の下端部よりも下側であって、連通開口部１４８と同じ高さ位置に、機体前後方向において連通開口部１４８側に近接して、小束紙幣Ｗを検出する光学式の繰出センサ１４９が設けられている。つまり、繰出収納体１１２は連通開口部１４８を介して小束紙幣Ｗを貯留空間１１８内に押し込むことになるため、この繰出収納体１１２の押し込み方向の前方に繰出センサ１４９が設けられている。
【００５５】
繰出収納体１１２は、やや厚みのある略板状に形成された部材で、水平に配置されており、その略中央位置には上下方向に貫通する図２に示す窓部１５０が形成されている。ここで、上記したＣＣＤカメラ１４４は、この窓部１５０を介して繰出収納体１１２の直下の画像を検出可能となっている。
【００５６】
また、繰出収納体１１２の束出金口９０側の下面側には、図５に示すように、上方に凹む凹部１５２が形成されていて、この凹部１５２には、この凹部１５２内に収納可能であってこの凹部１５２から下方に延伸可能なパンタグラフ式の伸縮駆動機構１５３が設けられている。この伸縮駆動機構１５３は、下端部に水平に配置される押圧板１５４を有しており、この押圧板１５４をその下面を繰出収納体１１２の下面と面一にする状態から水平状態を維持したまま常に決められた所定距離だけ下方に移動させる。
【００５７】
複数の束カセット８１〜８６は、同一の構成となっている。束カセット８１〜８６は、図４に束カセット８１〜８３のみを例示するが、小束紙幣Ｗを長手方向を機体左右方向に沿わせた水平姿勢で上下方向に集積させて収納可能な収納空間１５８が形成された箱体１５９を有しており、箱体１５９の上部には、収納空間１５８を上方つまり束振分部８０側に開口させる上方開口部１６０が形成されている。この上方開口部１６０は、小束紙幣Ｗを水平姿勢で上下に出入りさせることが可能な大きさに形成されている。
【００５８】
箱体１５９の上部には、上方開口部１６０の機体前後方向の両側に機体左右方向に沿う軸１６４が配設されており、これら軸１６４にはそれぞれ収納束押さえ爪１６５が軸１６４を中心に回転可能に支持されている。これら収納束押さえ爪１６５は、図３に示す収納束押さえ爪駆動機構１６６によって、軸１６４から相互近接方向に延出し略同一平面上に配置されて上方開口部１６０を狭める閉状態と、軸１６４から上方に延出して上方開口部１６０を広げる開状態との間で揺動させられる。
【００５９】
ここで、両収納束押さえ爪１６５の間隔は、両収納束押さえ爪１６５が上方開口部１６０の一部を閉じる閉状態にあるとき、上方開口部１６０の残りの開口部分が、水平姿勢の小束紙幣Ｗを通過させることが不可であり、他方、両収納束押さえ爪１６５が開状態にあるとき、上方開口部１６０が、水平姿勢の小束紙幣Ｗを通過可能な間隔に設定されている。
【００６０】
箱体１５９の内部の収納束押さえ爪１６５よりも下側には、収納空間１５８内に収納された小束紙幣Ｗを下側で支持する束載置板１６９が水平に配置されている。この束載置板１６９は水平に配置された状態を維持しながら図２に示すスライド軸１７１に沿って昇降可能とされており、図３に示す束載置板駆動機構１７０で昇降駆動される。なお、束載置板駆動機構１７０は駆動伝達系に摩擦クラッチを含んでおり、滑りが可能となっている。そして、図示略のスプリングが束載置板１６９をその高さ位置を保持し得る程度の付勢力で上方に付勢するようになっており、摩擦クラッチの負荷を軽減するようになっている。このような束カセット８１〜８６は、束振分部８０から一括して受け渡される集積状態の小束紙幣Ｗを集積状態のまま束載置板１６９上に直接または既に収納されていた小束紙幣Ｗを介して収納させる。また、束載置板１６９は、箱体１５９の内部の両収納束押さえ爪１６５が開状態にあるとき、両収納束押さえ爪１６５の高さ位置を越えて、繰出収納体１１２の直下に相当する高さ位置まで、その上面が位置するように上昇可能となっていて、これにより、束載置板１６９上に収納されていた最後の一束までも、束振分部８０に受け渡すことができるようになっている。
【００６１】
なお、束カセット８１〜８６を機体１２に対し着脱可能な着脱式とした場合、箱体１５９の上部に上方開口部１６０を完全に閉塞可能なシャッタを設けて、束カセット８１〜８６を機体１２に装着した際にこのシャッタが自動的に開き、束カセット８１〜８６を機体１２から取り外した際にこのシャッタが自動的に閉じるようにするのが良い。
【００６２】
図４（ｂ）に示すように、束放出ダクト９３は、上下方向に延在しており、その下端部には機体前方側ほど下側に位置するように傾斜する図示は略すが櫛歯状をなす傾斜板１７４が取り付けられている。この傾斜板１７４の下端部は機体前面１２Ｆの放出口９２の下端部と連続している。この束放出ダクト９３は、束放出ダクト９３の機体前方側において機体前後方向に対し直交するように配置される板部１７５とこの板部１７５の上端縁部から機体後方に突出する上板部１７６とを有する補助板１７７と、束放出ダクト９３内において補助板１７７の板部１７５の機体後方側で水平延在するとともに傾斜板１７４を通過可能な櫛歯状の台板部１７８とこの台板部１７８の機体後方側の端縁部から下方に突出する板部１７９とを有するリフト１８０とを有している。
【００６３】
補助板１７７は、図３に示す補助板駆動機構１８３によって、上板部１７６を束カセット８１〜８６の上端部よりも上側に位置させる上限位置と、上板部１７６を束カセット８１〜８６の上端部と略同高さに位置させる下限位置との間で昇降可能とされている。ここで、補助板１７７は、下方に図示略のスプリングで付勢されており、補助板１７７に対し係脱可能な補助板駆動機構１８３で下側から支持されて昇降する。また、リフト１８０は、図３に示すリフト駆動機構１８４によって、台板部１７８を束カセット８１〜８６の上端部と同高さにする上限位置と、台板部１７８を傾斜板１７４より下側に位置させる下限位置との間で昇降可能とされている。
【００６４】
図３に示すように、上記したロック機構７９、シャッタ駆動機構９４、ガイド板駆動機構１０１、受皿駆動機構１０５、ベース部材駆動機構１０８、貯留部枠体駆動機構１１３、繰出収納体駆動機構１１４、背板駆動機構１２７、底板駆動機構１３２、貯留束押さえ板駆動機構１３６、伸縮駆動機構１５３、収納束押さえ爪駆動機構１６６、束載置板駆動機構１７０、補助板駆動機構１８３およびリフト駆動機構１８４の各駆動機構は、制御部１８５に接続されており、制御部１８５でそれぞれの駆動が制御される。また、束押さえ板高さセンサ１４０、ＣＣＤカメラ１４４および繰出センサ１４９も、制御部１８５に接続されている。なお、特に記載していない場合であっても、各駆動機構には、駆動源および可動部分の作動を制御するための位置検出センサ等が適宜設けられている。
【００６５】
「入金時一時貯留処理」
【００６６】
以上のような束紙幣処理部１４においては、バラ紙幣収納部５１〜５５に収納されたバラ紙幣を結束して小束紙幣Ｗとする結束処理時において、結束部７５で結束された小束紙幣Ｗを複数束同時に束振分部８０に一時貯留させることができる。この作動について説明する。
【００６７】
まず、制御部１８５は、束受渡部７６および束振分部８０を図６（ａ）に示すような受入待機状態とする。この受入待機状態で、束受渡部７６は、ベース部材９６が上限位置にあり受皿９８が水平配置され束押さえガイド板９７が上限位置にある。つまり、図１に示す結束部７５の機体前方側において受皿９８と束押さえガイド板９７とが離れている。
【００６８】
束振分部８０は、受入待機状態において、貯留部枠体１１１が機体前方側の前端位置よりも若干後であってその前端部を最も機体前方側の束カセット８１の中間部上方に位置させる所定の受入待機位置にあり、繰出収納体１１２が貯留部枠体１１１に対して連通開口部１４８に進入しその機体前方側の前端面１１２Ｆを内壁部１１７の貯留空間１１８側の面に合わせる基本位置にある。さらに、底板１３１が貯留部枠体１１１に対して貯留空間１１８の下方開口部１２２を閉塞させる基本位置にあり、貯留束押さえ板１３５が下降していて小束紙幣Ｗがないことから底板１３１に当接している。加えて、閉状態が基本状態である両背板１２６が機体前方側に延出する開状態とされている。なお、このとき、補助板１７７は束カセット８１〜８６と略同高さの下限位置である基本位置にあり、リフト１８０はその上端部の高さを補助板１７７の下端部に合わせた基本位置にある。
【００６９】
束カセット８１〜８６は、受入待機状態において、収納した小束紙幣Ｗがある場合には閉状態にある収納束押さえ爪１６５と束載置板１６９とで小束紙幣Ｗを挟持しており、収納した小束紙幣Ｗがない場合には閉状態にある収納束押さえ爪１６５と束載置板１６９とを近接または当接させている。
【００７０】
以上のような受入待機状態で、制御部１８５が、結束された一束目の小束紙幣Ｗを長手方向を機体左右方向に沿わせた水平姿勢で結束部７５から機体前方に押し出させると、小束紙幣Ｗは、図６（ａ）に示すように束受渡部７６の受皿９８上に載置される。次に、制御部１８５は、図３に示すガイド板駆動機構１０１によって束押さえガイド板９７を下降させる。すると、自重および図示略のスプリングの付勢力で束押さえガイド板９７が小束紙幣Ｗを受皿９８に押し付けてこれを受皿９８とで挟持する。
【００７１】
そして、制御部１８５は、図６（ｂ）に示すように、図３に示すベース部材駆動機構１０８で束受渡部７６のベース部材９６を、下方に移動させ、束受渡部７６を束振分部８０の位置まで下降させる。すると、束受渡部７６の束押さえガイド板９７および受皿９８が、束振分部８０の両背板１２６の間で下降し、受皿９８が受入待機位置にある貯留部枠体１１１に対し基本位置にある底板１３１上に載置される。この状態で、受皿９８の先端部は、底板１３１上の貯留束押さえ板１３５の切欠部１３９内に進入しており、小束紙幣Ｗが機体前後方向において底板１３１に一部重なり合っている。その後、制御部１８５は、貯留束押さえ板駆動機構１３６を駆動して貯留束押さえ板１３５を上限位置まで上昇させる。
【００７２】
次に、制御部１８５は、図７（ａ）に示すように、繰出収納体１１２は停止させたままで、図３に示す貯留部枠体駆動機構１１３を駆動して、束振分部８０の貯留部枠体１１１を背板１２６の軸１２５の機体前後方向の位置が小束紙幣Ｗの機体前方側の端部に略重なる受入位置まで前進させて停止させる。すると、束受渡部７６に挟持された小束紙幣Ｗが背板１２６の後側に位置する。続いて、図７（ｂ）に示すように、図３に示す背板駆動機構１２７で両背板１２６を相互近接側に揺動させて閉状態とする。これにより、束押さえガイド板９７の自重およびスプリングの付勢力により束押さえガイド板９７および受皿９８で挟持されていた小束紙幣Ｗが、両背板１２６で押圧されて機体後方側にずれて貯留部枠体１１１の貯留空間１１８に全体が押し込まれた状態になり、貯留部枠体１１１および閉状態の両背板１２６で抱え込まれることになる。
【００７３】
次に、制御部１８５は、図３に示す貯留束押さえ板駆動機構１３６を駆動して貯留束押さえ板１３５を下降させることになり、これにより、貯留束押さえ板１３５は自重および図示略のスプリングの付勢力で束受渡部７６の束押さえガイド板９７に上から当接する。次いで、制御部１８５は、図８（ａ）に示すように、図３に示す貯留部枠体駆動機構１１３を駆動して、束振分部８０の貯留部枠体１１１を、受入待機位置よりも機体後方側であって閉状態の背板１２６が束受渡部７６よりも機体後方側に位置する捕捉位置まで後退させて停止させる。なお、制御部１８５は、後退中に貯留部枠体１１１が受入待機位置に達した時点でそれまで停止していた繰出収納体１１２を貯留部枠体１１１と一体に後退させるように図３に示す繰出収納体駆動機構１１４を制御する。このようにして貯留部枠体１１１および繰出収納体１１２が捕捉位置まで後退する間に、閉状態の背板１２６で機体前方側が押さえられた小束紙幣Ｗは貯留空間１１８に留まるように貯留部枠体１１１および繰出収納体１１２とともに後退し、束受渡部７６の束押さえガイド板９７および受皿９８間から抜き取られて底板１３１上に受け渡される。その結果、貯留空間１１８内において自重および図示略のスプリングの付勢力で貯留束押さえ板１３５が小束紙幣Ｗを底板１３１に押し付けてこれを底板１３１とで挟持する。つまり、束振分部８０は、小束紙幣Ｗを背板１２６で束受渡部７６から抜き取って貯留空間１１８内で底板１３１上に受け取る。
【００７４】
次に、制御部１８５は、図８（ｂ）に示すように、図３に示すベース部材駆動機構１０８で束受渡部７６のベース部材９６を上限位置まで上昇させた後、ガイド板駆動機構１０１で束押さえガイド板９７を上限位置まで上昇させる。つまり、束受渡部７６を受入待機状態に戻す。次いで、制御部１８５は、貯留部枠体１１１に対し繰出収納体１１２を基本位置に位置させ貯留部枠体１１１で小束紙幣Ｗを一時貯留させた状態のまま、図３に示す貯留部枠体駆動機構１１３および繰出収納体駆動機構１１４を駆動して、束振分部８０を受入待機位置に戻し、背板駆動機構１２７を駆動して、図９（ａ）に示すように、両背板１２６を開状態とする。つまり、束振分部８０を受入待機状態に戻す。
以上により、一束目の小束紙幣Ｗの一時貯留が終了する。
【００７５】
続けて、結束部７５で結束された次の小束紙幣Ｗつまり二束目の小束紙幣Ｗを束振分部８０に一時貯留させる場合には、制御部１８５は、上記と同様の作動を繰り返す。つまり、結束部７５で結束された小束紙幣Ｗを押し出させて束受渡部７６の受皿９８上に載置させ、束押さえガイド板９７を下降させた後、図９（ｂ）に示すように、束受渡部７６のベース部材９６を下降させる。すると、この場合は、束押さえガイド板９７および受皿９８が、両背板１２６の間で下降し、受皿９８が束振分部８０に既に貯留されている小束紙幣Ｗ（複数ある場合最上位置のもの）の上に、貯留束押さえ板１３５の切欠部１３９内に進入しつつ載置される。この状態で、束受渡部７６に挟持された小束紙幣Ｗが、束振分部８０に既に貯留されている小束紙幣Ｗに機体前後方向において一部が、機体左右方向において全部が重なり合う状態となる。その後、制御部１８５は、貯留束押さえ板１３５を上限位置まで上昇させる。
【００７６】
次に、制御部１８５は、図１０（ａ）に示すように、束振分部８０の貯留部枠体１１１を受入位置まで前進させて停止させる。これにより、束受渡部７６に挟持された小束紙幣Ｗが束振分部８０に既に受け取られて貯留された小束紙幣Ｗの上側かつ背板１２６の後側に位置する。この状態で、両背板１２６を閉状態とする。これにより、束押さえガイド板９７および受皿９８で挟持されていた小束紙幣Ｗが両背板１２６で押圧されて貯留空間１１８に全体が押し込まれる。次いで、制御部１８５は、貯留束押さえ板１３５を下降させて束押さえガイド板９７に当接させた後、図１０（ｂ）に示すように、束振分部８０の貯留部枠体１１１および繰出収納体１１２を捕捉位置まで後退させて停止させる。これにより、束受渡部７６に挟持された小束紙幣Ｗは、閉状態の背板１２６で貯留空間１１８に留まるように後退させられて、束受渡部７６から抜き取られ、既に一時貯留状態にある小束紙幣Ｗ（複数ある場合最上位置のもの）の上に載せられ、すべての小束紙幣Ｗが貯留束押さえ板１３５と底板１３１とで挟持される。つまり、束振分部８０は、小束紙幣Ｗを背板１２６で束受渡部７６から抜き取って既に受け取った小束紙幣Ｗの上側に受け取る。
【００７７】
次に、制御部１８５は、図１１（ａ）に示すように、束受渡部７６を上方の受入待機状態に戻した後、束振分部８０の貯留部枠体１１１に対し繰出収納体１１２を基本位置に位置させ貯留部枠体１１１に小束紙幣Ｗを一時貯留させた状態のまま、束振分部８０を受入待機位置に戻し、図１１（ｂ）に示すように、両背板１２６を開状態とする。つまり、束振分部８０を受入待機状態に戻す。
そして、必要に応じて上記を繰り返すことによって、貯留空間１１８にその貯留限界数（例えば八束）までの範囲で、小束紙幣Ｗを集積状態で一時貯留させることになる。
【００７８】
「収納処理」
【００７９】
束紙幣処理部１４では、バラ紙幣収納部５１〜５５に収納されたバラ紙幣を結束して小束紙幣Ｗとする結束処理時において、上記のようにして束振分部８０に一時貯留された複数束の小束紙幣Ｗが同一金種である場合、これを一括して、金種別の束カセット８３〜８６のうちの対応する金種のものに収納させることができる。勿論、複数金種である場合あるいは単一金種であっても混合金種用の束カセット８２に一括して収納させることもできる。この作動について束カセット８３に小束紙幣Ｗを収納する場合を例にとり説明する。
【００８０】
制御部１８５は、図１１（ｂ）に示すように受入待機状態にある束振分部８０に対し、図３に示す背板駆動機構１２７を駆動して背板１２６を閉状態とした後、貯留部枠体駆動機構１１３および繰出収納体駆動機構１１４の駆動により、図１２（ａ）に示すように、貯留部枠体１１１および繰出収納体１１２を一体的に、貯留空間１１８を収納させるべき所定の束カセット８３の収納空間１５８の鉛直上方に位置させる収納位置まで水平移動させるとともに、これと並行して、束カセット８３の図３に示す収納束押さえ爪駆動機構１６６を駆動して、両収納束押さえ爪１６５を揺動させて開状態とする。次に、制御部１８５は、束カセット８３の図３に示す束載置板駆動機構１７０の駆動によって束載置板１６９を上昇させて、図１２（ｂ）に示すように、束カセット８３に既に収納してあった小束紙幣Ｗまたは束載置板１６９を、束振分部８０の底板１３１の直下に位置させ底板１３１に当接させる。このときの束載置板１６９の上昇量は収納束押さえ爪１６５で既定位置に位置させられていた最上位置の小束紙幣Ｗが底板１３１に当接するのに十分な距離分束載置板駆動機構１７０を駆動することになり、余分な駆動量分は摩擦クラッチの滑りで吸収する。次いで、制御部１８５は、図３に示す繰出収納体駆動機構１１４を駆動して、貯留部枠体１１１に対し基本位置にあった繰出収納体１１２を若干の所定距離機体後方側の逃げ位置に後退させる。なお、上記した一時貯留作動の際に、同時に一時貯留させる複数の小束紙幣Ｗのうち最後の小束紙幣Ｗを束振分部８０に一時貯留させた後に、制御部１８５は、束受渡部７６を受入待機状態に戻すものの、束振分部８０は受入待機状態に戻さずに直接、その貯留空間１１８を収納させるべき所定の束カセット８３の収納空間１５８の鉛直上方に位置させても良い。
【００８１】
次に、制御部１８５は、図３に示す底板駆動機構１３２を駆動して、図１３（ａ）に示すように、基本位置にあった底板１３１を貯留部枠体１１１に対し機体前方側に側方移動させて、貯留空間１１８の下方開口部１２２を全開放させる全開放位置に位置させる。すると、束振分部８０の貯留空間１１８に一時貯留されていたすべての小束紙幣Ｗが、背板１２６で機体前方への移動が規制され、貯留束押さえ板１３５とともに、束カセット８３に既に収納されていた小束紙幣Ｗまたは束載置板１６９の上に重ねられることになり、すべての小束紙幣Ｗが束振分部８０の貯留束押さえ板１３５と束カセット８３の束載置板１６９とで挟持される。
【００８２】
次に、制御部１８５は、貯留束押さえ板１３５の高さ位置をモニタしつつ、図３に示す束載置板駆動機構１７０を駆動して、図１３（ｂ）に示すように、束カセット８３の束載置板１６９を、束振分部８０の繰出収納体１１２の下面よりも若干下側の所定位置に位置するまで貯留束押さえ板１３５および小束紙幣Ｗとともに下げる。このとき、最上位置の小束紙幣Ｗの上面は、繰出収納体１１２内に収納状態にある図５に示す伸縮駆動機構１５３よりも若干下側に位置することになる。その後、図３に示す繰出収納体駆動機構１１４を駆動して、逃げ位置にあった繰出収納体１１２を機体前方側に所定距離移動させて貯留部枠体１１１に対し基本位置に戻す。ここで、上記のように、貯留部枠体１１１に対し繰出収納体１１２を逃げ位置に一時的に後退させるのは、小束紙幣Ｗの下降を円滑に行うためである。
【００８３】
次に、制御部１８５は、図３に示す貯留部枠体駆動機構１１３および繰出収納体駆動機構１１４を駆動して、貯留部枠体１１１および繰出収納体１１２を一体に機体前方側に所定距離移動させる。すると、図１４（ａ）に示すように、束カセット８３の最上位置の小束紙幣Ｗの上で貯留束押さえ板１３５も機体前方側に所定距離移動することになり、この最上位置の小束紙幣Ｗの機体前方側の一部に掛かる状態になるとともに、繰出収納体１１２の機体前方側の部分が、この最上位置の小束紙幣Ｗの機体後方側の部分を上から覆う状態になる。
【００８４】
次いで、制御部１８５は、図１４（ｂ）に示すように、貯留部枠体１１１とともに移動した繰出収納体１１２に収納されていて束カセット８３の最上の小束紙幣Ｗの上側に位置する伸縮駆動機構１５３を駆動してその押圧板１５４を既定量下降させ、この押圧板１５４によって、束カセット８３のすべての小束紙幣Ｗおよび束載置板１６９を束載置板駆動機構１７０の摩擦クラッチを滑らせながら束カセット８３の収納束押さえ爪１６５よりも下側まで押し込む。このとき、束載置板駆動機構１７０のモータは停止状態が維持されている。その後、束カセット８３において、図３に示す収納束押さえ爪駆動機構１６６を駆動して収納束押さえ爪１６５を閉状態とする。また、これらに並行して、底板駆動機構１３２を駆動して底板１３１を貯留部枠体１１１に対して下方開口部１２２を閉塞させる基本位置に戻す。その後、図１５に示すように、伸縮駆動機構１５３を繰出収納体１１２に収納させるとともに、図３に示す束載置板駆動機構１７０を駆動して、束載置板１６９を上昇させ、最上位置の小束紙幣Ｗを収納束押さえ爪１６５に当接させる。このときも、束載置板駆動機構１７０を当接に十分な所定量駆動し、不要な駆動量分は束載置板１６９の摩擦クラッチが滑ることで吸収する。これにより、小束紙幣Ｗを閉状態の収納束押さえ爪１６５と束載置板１６９との間に挟持させる。
【００８５】
ここで、上記において、貯留束押さえ板１３５の高さを束押さえ板高さセンサ１４０でモニタしつつ束載置板１６９を下降させて最上の小束紙幣Ｗを伸縮駆動機構１５３の下側まで下降させ、その後は、伸縮駆動機構１５３で決められた高さ位置まで最上の小束紙幣Ｗを下降させることで、束カセット８３の収納束押さえ爪１６５より下側に最上の小束紙幣Ｗを位置させる。このようにして、複数ある束カセット８１〜８６側の束載置板１６９の高さを直接モニタせずに、一つの束振分部８０の束押さえ板高さセンサ１４０のみで対応する。
【００８６】
以上のようにして、束振分部８０に一時貯留されていた複数の小束紙幣Ｗを一度に、束カセット８１〜８６の対応する一つに収納させることができる。勿論、束振分部８０に一つの小束紙幣Ｗのみが一時貯留されていた場合も、上記作動を行うことで、これを束カセット８１〜８６の対応する一つに収納させることができる。
【００８７】
なお、制御部１８５は、図１２〜図１４までの状態で、束カセット８３の機体後方側の上端部と繰出収納体１１２の下面との隙間を閉塞させるように、束カセット８３の収納空間１５８の機体後方側を画成する内面部分から境界爪を上方に突出させるようにしても良い。
【００８８】
また、異なる金種の複数の小束紙幣Ｗを束カセット８２に金種混合で収納させる場合には、上記と同様に、束振分部８０への一時貯留および束カセット８２への収納を複数束について一度に行うことができるが、異なる金種の小束紙幣Ｗを金種別の束カセット８３〜８６に金種別に収納させる場合は、束振分部８０への一時貯留および束カセット８３〜８６の対応するものへの収納を、金種別に行うことになる。
【００８９】
ここで、入金と同時に結束を行う入金時同時結束処理時においては、バラ紙幣処理部１３の入金口２１に投入されたバラ紙幣を入金識別部２７の識別結果に基づいて集積部５９，６０に送り、所定枚数集積されたところでバッチ移送部７４で束紙幣処理部１４に移送して結束部７５で結束させて束受渡部７２から束振分部８０に一時貯留させた後、束カセット８１〜８６の対応するものに収納させることになる。このとき、制御部１８５は、入金口２１に投入されたバラ紙幣全体の入金額が確定するまで、このバラ紙幣から作成された小束紙幣Ｗを束振分部８０に一時貯留させた状態で待機させ、バラ紙幣全体の入金額が確定した後に、束カセット８１〜８６の対応するものに収納させるようになっている。これにより、入金時同時結束処理時においても、新たに入金時に結束した小束紙幣Ｗと、既に入金済みの紙幣とを明確に区別することができる。そして、束振分部８０に一時貯留させた小束紙幣Ｗは後述する出金処理と同様にして束出金口９０から返却可能となっている。
【００９０】
「出金時一時貯留処理」
【００９１】
束紙幣処理部１４では、金種別の束カセット８３〜８６に収納された小束紙幣Ｗを出金させる出金処理時において、束カセット８３〜８６に収納された小束紙幣Ｗを束振分部８０に繰り出させることになるが、この場合も、束振分部８０に複数束の小束紙幣Ｗを保持可能である。この作動について束カセット８３から小束紙幣Ｗを繰り出す場合を例にとり説明する。
【００９２】
制御部１８５は、例えば受入待機状態にある束振分部８０に対し、図３に示す背板駆動機構１２７を駆動して背板１２６を閉状態とした後、貯留部枠体駆動機構１１３および繰出収納体駆動機構１１４の駆動により、図１６（ａ）に示すように、貯留部枠体１１１および繰出収納体１１２を一体的に、貯留部枠体１１１の貯留空間１１８を繰り出しを受ける所定の束カセット８３の収納空間１５８の鉛直上方に対し所定量機体前方側にずれて位置させる受入位置まで水平移動させる。また、制御部１８５は、これと並行して、図３に示す底板駆動機構１３２を駆動して、基本位置にあった底板１３１を貯留部枠体１１１に対し機体前方側に移動させて、貯留空間１１８の下方開口部１２２の機体後方側を所定量開放させる中間開放位置に位置させる。この状態で、貯留部枠体１１１の貯留空間１１８および繰出収納体１１２の両方が繰り出しを行う束カセット８３の鉛直上方に位置する状態となり、底板１３１は下方開口部１２２の繰出収納体１１２側の一部を開放させ、束カセット８３の収納空間１５８に対し退避した状態になる。また、この状態で束カセット８３の収納空間１５８の鉛直上方には、機体前方側の一部に貯留束押さえ板１３５が、残りの部分に繰出収納体１１２が配置された状態になる。
【００９３】
次に、制御部１８５は、図３に示す収納束押さえ爪駆動機構１６６を駆動して、束カセット８３の両収納束押さえ爪１６５を揺動させて開状態とした後、貯留束押さえ板１３５の高さ位置を束押さえ板高さセンサ１４０でモニタしつつ束載置板駆動機構１７０を駆動して、図１６（ｂ）に示すように、束カセット８３の束載置板１６９を上昇させる。すると、束カセット８３に収納してあった最上位置の小束紙幣Ｗが貯留束押さえ板１３５に当接してこれを押し上げることになる。制御部１８５は、この貯留束押さえ板１３５の高さ位置が、束カセット８３に収納してあった最上位置の小束紙幣Ｗが繰出収納体１１２に略当接する直下位置にあると判定できる初期上昇位置まで束載置板１６９を上昇させる（前段上昇作動）。この状態で、繰出収納体１１２の図２に示す窓部１５０を介してＣＣＤカメラ１４４で繰出収納体１１２の直下に位置する最上位置の小束紙幣Ｗの表面パターンの画像を検出し、その金種等を判別する。この判別時に、ＣＣＤカメラ１４４で繰出収納体１１２の窓部１５０を介して小束紙幣Ｗの所定の表面パターンあるいは束載置板１６９が検出された場合に、制御部１８５は束載置板１６９が良好に上昇したことを確認する。つまり、制御部１８５は、このとき、小束紙幣Ｗの所定の表面パターンおよび束載置板１６９のいずれも検出されない場合は、小束紙幣Ｗに搬送不良が生じたと判定し、アラームを発生させる。
【００９４】
次いで、制御部１８５は、図３に示す繰出収納体駆動機構１１４を駆動して、図１７（ａ）に示すように、貯留部枠体１１１に対し基本位置にあった繰出収納体１１２を小束紙幣Ｗよりも機体後方側にずれる繰出後退位置まで後退させる。その後、制御部１８５は、貯留束押さえ板１３５の高さ位置をモニタしつつ図３に示す束載置板駆動機構１７０を駆動して、図１７（ｂ）に示すように、束カセット８３の最上位置の小束紙幣Ｗが貯留部枠体１１１の内壁部１１７の下面に当接すると判定できる繰出上昇位置に貯留束押さえ板１３５を位置させるように束載置板１６９を略一束分上昇させる。その結果、束カセット８３の最上位置の小束紙幣Ｗのやや上部側よりに、後退した繰出収納体１１２が高さを合わせる（上下方向の位置を重ね合わせる）ことになる（後段上昇作動）。
【００９５】
上記前段上昇作動前の状態から後段上昇作動後の状態になると、図２０（ａ）に示すように、貯留部枠体１１１の貯留空間１１８の下部に設けられた繰出センサ１４９が、貯留束押さえ板１３５で遮光された状態から、図２０（ｂ）に示すように遮光されず前方に何も検出しない状態となる。このため、これを検出することで、制御部１８５は小束紙幣Ｗが良好に上昇したことを確認する。他方、後段上昇作動後に繰出センサ１４９が遮光された状態であるとき、つまり束載置板１６９を上昇させた後に繰出センサ１４９で小束紙幣Ｗあるいは貯留束押さえ板１３５が検出されていると、制御部１８５は小束紙幣Ｗに搬送不良が生じたと判定し、アラームを発生させる。
【００９６】
また、この後段上昇作動によって、制御部１８５は、図３に示す載置板駆動機構１７０を所定時間駆動する間に束載置板１６９が上昇量として許容された所定の許容範囲内で上昇したことでも、小束紙幣Ｗが良好に上昇したことを確認する。つまり、束載置板１６９の上昇量が所定の許容範囲から外れていると、制御部１８５は小束紙幣Ｗに搬送不良が生じたと判定し、アラームを発生させる。
【００９７】
その後、制御部１８５は、繰出収納体駆動機構１１４を駆動して、図１８（ａ）に示すように、貯留部枠体１１１に対し繰出収納体１１２を基本位置に戻るように機体前方側に移動させる。すると、繰出収納体１１２の前端面１１２Ｆが最上位置の小束紙幣Ｗのみに当接してこれを貯留部枠体１１１の貯留空間１１８に押し出す。すると、最上位置の小束紙幣Ｗは、これを予め上側で押さえていた貯留束押さえ板１３５と底板１３１との間に全体的に入り込んで束振分部８０に貯留された最下位置の小束紙幣Ｗとなる（繰出作動）。このようにして束振分部８０の最下位置に貯留された小束紙幣Ｗは、束カセット８３の次に最上位置となった小束紙幣Ｗの上部を機体前方側のみ押さえる状態となり、この最上位置の小束紙幣Ｗの残りの部分の上側を繰出収納体１１２が覆う状態となる。
【００９８】
この繰出作動後、図２１（ａ）に示すように、貯留部枠体１１１の貯留空間１１８の下部に設けられた繰出センサ１４９が遮光されて小束紙幣Ｗが前方にあることを検出することで、制御部１８５は小束紙幣Ｗが良好に貯留空間１１８に繰り出されたことを確認する。つまり、繰出センサ１４９が小束紙幣Ｗを検出しないと、制御部１８５は、小束紙幣Ｗに搬送不良が生じたと判定し、アラームを発生させる。
【００９９】
続いて、束カセット８３における最上位置の小束紙幣Ｗを束カセット８３から束振分部８０に繰り出させる場合には、制御部１８５が、上記前段上昇作動と同様にして、図２１（ｂ）に示すように、貯留束押さえ板１３５の高さ位置をモニタしつつ図３に示す束載置板駆動機構１７０を駆動し束カセット８３の束載置板１６９を上昇させて、束カセット８３に収納してあった最上位置の小束紙幣Ｗで貯留空間１１８に収納された最下位置の小束紙幣Ｗおよび貯留束押さえ板１３５を押し上げることになる。制御部１８５は、この貯留束押さえ板１３５の高さ位置が、束カセット８３に収納してあった最上位置の小束紙幣Ｗが繰出収納体１１２に略当接する直下位置にあると判定できる初期上昇位置まで束載置板１６９を上昇させる。この状態で、繰出収納体１１２の窓部１５０を介してＣＣＤカメラ１４４で繰出収納体１１２の直下に位置する束カセット８３の最上位置の小束紙幣Ｗの表面パターンの画像を検出し、その金種等を判別する。この判別時にも、ＣＣＤカメラ１４４で窓部１５０を介して小束紙幣Ｗの所定の表面パターンあるいは束載置板１６９が検出された場合に、制御部１８５は小束紙幣Ｗが良好に上昇したことを確認する。つまり、制御部１８５は、小束紙幣Ｗの所定の表面パターンおよび束載置板１６９のいずれも検出されない場合は小束紙幣Ｗに搬送不良が生じたと判定し、アラームを発生させる。
【０１００】
次いで、制御部１８５は、繰出収納体駆動機構１１４を駆動して、図１８（ｂ）に示すように、繰出収納体１１２を小束紙幣Ｗよりも機体後方側にずれる繰出後退位置まで後退させる。その後、制御部１８５は、貯留束押さえ板１３５の高さ位置をモニタしつつ束載置板駆動機構１７０を駆動して、図１９（ａ）に示すように、束カセット８３の最上位置の小束紙幣Ｗが貯留部枠体１１１の内壁部１１７の下面に当接すると判定できる繰出上昇位置に貯留束押さえ板１３５を位置させるように束載置板１６９を略一束分上昇させる。その結果、束カセット８３の最上位置の小束紙幣Ｗに、後退した繰出収納体１１２が高さを合わせることになる（後段上昇作動）。
【０１０１】
上記前段上昇作動前の状態から後段上昇作動後の状態になると、図２２（ａ）に示すように、貯留部枠体１１１の貯留空間１１８の下部に設けられた繰出センサ１４９が遮光されず小束紙幣Ｗが前方にない状態になるため、これを検出することで、制御部１８５は小束紙幣Ｗが良好に上昇したことを確認する。他方、後段上昇作動後でも繰出センサ１４９が小束紙幣Ｗで遮光された状態のままであるとき、つまり束載置板１６９を上昇させた後に繰出センサ１４９で小束紙幣Ｗが検出されていると、制御部１８５は小束紙幣Ｗに搬送不良が生じたと判定し、アラームを発生させる。
【０１０２】
また、この後段上昇作動によって、制御部１８５は、載置板駆動機構１７０を所定時間駆動する間に束載置板１６９が上昇量として許容された所定の許容範囲内で上昇したことでも、小束紙幣Ｗが良好に上昇したことを確認する。つまり、束載置板１６９の上昇量が所定の許容範囲から外れていると、制御部１８５は小束紙幣Ｗに搬送不良が生じたと判定し、アラームを発生させる。
【０１０３】
その後、制御部１８５は、図３に示す繰出収納体駆動機構１１４を駆動して、図１９（ｂ）に示すように、貯留部枠体１１１に対し繰出収納体１１２を基本位置に戻るように機体前方側に移動させる。すると、繰出収納体１１２の前端面１１２Ｆが束カセット８３における最上位置の小束紙幣Ｗに当接してこれを貯留部枠体１１１の貯留空間１１８に押し出す。すると、束カセット８３における最上位置の小束紙幣Ｗは、これを予め上側で押さえていた、既に繰り出され背板１２６で機体前方への移動が規制された最下位置の小束紙幣Ｗと底板１３１との間に全体的に入り込む。このようにして、この小束紙幣Ｗが束振分部８０の最下位置に貯留される。このとき、最下位置に貯留された小束紙幣Ｗは、束カセット８３において次に最上位置となった小束紙幣Ｗの上部を機体前方側のみ押さえる状態となり、この束カセット８３における最上位置の小束紙幣Ｗの残りの部分の上側を繰出収納体１１２が覆う状態となる。
【０１０４】
この繰出作動後、図２２（ｂ）に示すように、貯留部枠体１１１の貯留空間１１８の下部に設けられた繰出センサ１４９が遮光されて小束紙幣Ｗが前方にあることを検出することで、制御部１８５は小束紙幣Ｗが良好に貯留空間１１８に繰り出されたことを確認する。つまり、繰出センサ１４９が小束紙幣Ｗを検出しないと、制御部１８５は、小束紙幣Ｗに搬送不良が生じたと判定し、アラームを発生させる。
【０１０５】
そして、必要に応じて上記を繰り返すことによって、貯留空間１１８にその貯留限界数（例えば八束）までの範囲で、束カセット８３からの小束紙幣Ｗを集積状態で保持させることになる。
【０１０６】
なお、一束目の小束紙幣Ｗを束振分部８０に繰り出した後の二束目以降の小束紙幣Ｗの繰出時に、上記した前段上昇作動を行わなくても良い。つまり、繰出作動の後、繰出収納体１１２を繰出後退位置まで後退させた後、上記した後段上昇作動を行っても良い。この場合、繰出作動時に、繰出収納体１１２の窓部１５０からＣＣＤカメラ１４４で束カセット８３の最上位置の小束紙幣Ｗの表面パターンを検出し、その金種および搬送不良の判別を行っても良く、繰出収納体１１２を繰出後退位置まで後退させた後、ＣＣＤカメラ１４４で束カセット８３の最上位置の小束紙幣Ｗの表面パターンを検出し、その金種および搬送不良の判別を行っても良い。
【０１０７】
なお、制御部１８５は、上記したＣＣＤカメラ１４４の画像検出時に束載置板１６９の上面の模様が検出されると、束カセット８３に小束紙幣Ｗが無く空状態であると判定する。つまり、ＣＣＤカメラ１４４は、束カセット８１〜８６の空状態を検出可能となっている。また、図１６（ａ）の状態から以後、束カセット８３の機体後方側の上端部と繰出収納体１１２の下面との隙間を閉塞させるように、束カセット８３の収納空間１５８の機体後方側を画成する内面部分から境界爪を上方に突出させるようにしても良い。
【０１０８】
ここで、上記したように、繰出センサ１４９の検出状態に異常があった場合およびＣＣＤカメラ１４４の画像検出に異常があった場合等に、制御部１８５は、異常があったと判定し、処理を中断してアラームを発生させる。つまり、制御部１８５は、図２１（ｂ）に示すように貯留束押さえ板１３５を初期上昇位置まで上昇させるべく束載置板１６９を上昇させる指令を発した後、初期上昇位置まで上昇するであろう所定時間経過後に、ＣＣＤカメラ１４４で小束紙幣Ｗの所定の表面パターンおよび束載置板１６９のいずれも検出されない場合は、図２３（ａ）に示すような状態が想定されるため、小束紙幣Ｗが良好に上昇しなかったと判定し、処理を中断してアラームを発生させる。また、貯留束押さえ板１３５の上昇量が所定の許容範囲になかった場合も、小束紙幣Ｗが良好に上昇しなかったと判定し、処理を中断してアラームを発生させる。
【０１０９】
加えて、制御部１８５は、図２２（ａ）に示すように小束紙幣Ｗを繰出可能な高さまで上昇させるべく貯留束押さえ板１３５を繰出上昇位置まで上昇させる指令を発した後、繰出上昇位置に位置するであろう所定時間経過後に、繰出センサ１４９が遮光されている場合、図２３（ａ）に示すような状態が想定されるため、小束紙幣Ｗが良好に上昇しなかったと判定し、処理を中断してアラームを発生させる。また、この状態で、貯留束押さえ板１３５の上昇量が所定の許容範囲になかった場合も、小束紙幣Ｗが良好に上昇しなかったと判定し、処理を中断してアラームを発生させる。
【０１１０】
また、制御部１８５は、小束紙幣Ｗを貯留空間１１８に押し込むべく貯留部枠体１１１に対し繰出収納体１１２を基本位置に戻した後、繰出センサ１４９が遮光されていない場合も、小束紙幣Ｗが良好に繰り出されなかったと判定し、処理を中断してアラームを発生させる。
【０１１１】
加えて、制御部１８５は、小束紙幣Ｗを貯留空間１１８に繰り出した直後の貯留束押さえ板１３５の高さ位置が、その後、束振分部８０を移動開始させた際に、所定量を超えて変位した場合には、繰出不良に起因する小束紙幣Ｗの脱落等の搬送不良があったと判定し、処理を中断してアラームを発生させる。
【０１１２】
「出金処理」
【０１１３】
上記の「出金時一時貯留処理」で束振分部８０が単一の束カセット８３から受け入れた小束紙幣Ｗを出金させる場合は、上記した「出金時一時貯留処理」の最終的な図１９（ｂ）に示す状態から、制御部１８５は、図３に示す貯留部枠体駆動機構１１３の駆動により、図２４（ａ），（ｂ）および図２５（ａ）に示すように、貯留部枠体１１１を最も機体前方側つまり束出金口９０側の前端位置である出金位置まで移動させる。この移動開始初期において、制御部１８５は、貯留部枠体駆動機構１１３とともに繰出収納体駆動機構１１４を駆動することにより、貯留部枠体１１１および繰出収納体１１２を一体に機体前方側に若干移動させ、繰出収納体１１２で連通開口部１４８を塞いで小束紙幣Ｗの機体後方側への移動を規制しながら、図３に示す底板駆動機構１３２を駆動し、底板１３１を貯留部枠体１１１に対し貯留空間１１８の下方開口部１２２を閉塞させる基本位置まで移動させる。底板１３１が下方開口部１２２を閉塞させる基本位置まで移動すると、その後、貯留部枠体１１１を束出金口９０に向けて移動させるとともに、繰出収納体１１２を元に戻すように若干後退させる。
【０１１４】
制御部１８５は、この貯留部枠体１１１の束出金口９０に向けての移動と同時進行、つまり並行して、束カセット８３の収納空間１５８の上方位置に戻された繰出収納体１１２の伸縮駆動機構１５３を駆動して延伸させ、図２４（ｂ）に示すように、その押圧板１５４によって束カセット８３の小束紙幣Ｗおよび束載置板１６９を上記と同様に図３に示す束載置板駆動機構１７０の摩擦クラッチを滑らせながら束カセット８３の収納束押さえ爪１６５よりも下側まで押し込む。その後、束カセット８３において、図２５（ａ）に示すように、図３に示す収納束駆動機構１６６を駆動して収納束押さえ爪１６５を閉状態とし、繰出収納体１１２の伸縮駆動機構１５３を収納するとともに、束載置板駆動機構１７０を駆動して、束載置板１６９を上昇させ、最上位置の小束紙幣Ｗを収納束押さえ爪１６５に当接させるとともに、図３に示す繰出収納体駆動機構１１３を駆動して、繰出収納体１１２を貯留部枠体１１１に対して基本位置に位置させる。これにより、貯留空間１１８の下部の開口部が略閉塞される。
【０１１５】
他方、制御部１８５は、貯留部枠体１１１が出金位置に移動すると、図３に示す貯留束押さえ板駆動機構１３６によって、図２５（ｂ）に示すように、貯留束押さえ板１３５を上限位置まで上昇させた後、図３に示すシャッタ駆動機構９４を駆動してスライドシャッタ９１を下降させて束出金口９０を開放させた後、図３に示す背板駆動機構１２７により背板１２６を開状態とする。これにより、束振分部８０を束出金口９０を介して機外に露出させることになり、束出金口９０を介して束振分部８０内の小束紙幣Ｗを機外に取出可能となる。
【０１１６】
なお、連通開口部１４８を閉塞させるための繰出収納体１１２の貯留部枠体１１１に対する基本位置への移動は、貯留束押さえ板１３５の上限位置までの上昇と同時進行で行われることになり、これらが共に完了した後に、制御部１８５は、束出金口９０を開放させる。
【０１１７】
以上により、束振分部８０の貯留部枠体１１１の束出金口９０への移動および出金可能な状態への出金動作と、繰出収納体１１２による束を出金した束カセット８３の復帰動作とを同時進行で行うことができる。なお、繰出収納体１１２による連通開口部１４８の閉塞は行わなくても良い。
【０１１８】
束振分部８０内の小束紙幣Ｗが取り出されたことが図示略のセンサで検出されると、制御部１８５は、図２６に示すように、図３に示す貯留部枠体駆動機構１１３および繰出収納体駆動機構１１４の駆動により、貯留部枠体１１１および繰出収納体１１２を出金退避位置まで所定距離後退させた後、図３に示すシャッタ駆動機構９４を駆動して、スライドシャッタ９１を上方にスライドさせて束出金口９０を閉塞させ、その後、背板駆動機構１２７により背板１２６を閉状態とするとともに、貯留束押さえ板駆動機構１３６によって貯留束押さえ板１３５を底板１３１に当接するまで下降させる。
【０１１９】
なお、例えば、同一の束カセット８３から束振分部８０の貯留限界数より多い小束紙幣Ｗを出金させる場合には、上記した「出金時一時貯留処理」および「出金処理」を適宜繰り返すことになる。
【０１２０】
また、束振分部８０が束カセット８１〜８６のうちの異なる複数のものから受け入れた小束紙幣Ｗを出金させる場合、例えば、束カセット８３に続いて束カセット８２から小束紙幣Ｗを受け入れる場合は、「出金時一時貯留処理」の最終的な図１９（ｂ）に示す状態から、制御部１８５が、図２７（ａ）に示すように、束カセット８３の収納空間１５８の上方位置にある繰出収納体１１２の伸縮駆動機構１５３を駆動して、その押圧板１５４によって束カセット８３の小束紙幣Ｗおよび束載置板１６９を上記と同様に図３に示す束載置板駆動機構１７０の摩擦クラッチを滑らせながら束カセット８３の収納束押さえ爪１６５よりも下側まで押し込んだ後、束カセット８３において、図３に示す収納束駆動機構１６６を駆動して収納束押さえ爪１６５を閉状態とする。その後、繰出収納体１１２の伸縮駆動機構１５３を収納するとともに、図３に示す束載置板駆動機構１７０を駆動して、束載置板１６９を上昇させ、最上位置の小束紙幣Ｗを収納束押さえ爪１６５に当接させる。
【０１２１】
繰出収納体１１２の伸縮駆動機構１５３を収納すると、制御部１８５は、図３に示す底板駆動機構１３２の駆動により、貯留部枠体１１１の下方開口部１２２を塞ぐ基本位置まで底板１３１を移動させた後、図３に示す貯留部枠体駆動機構１１３および繰出収納体駆動機構１１４の駆動により、図２７（ｂ）に示すように、貯留部枠体１１１および繰出収納体１１２を一体的に、その貯留空間１１８を繰り出しを受ける所定の束カセット８２の収納空間１５８の鉛直上方に対し所定量機体前方側にずれて位置させる受入位置まで水平移動させる。なお、底板１３１を下方開口部１２２を塞ぐ基本位置に位置させずに貯留部枠体１１１および繰出収納体１１２を束カセット８２への受入位置まで移動させても良い。
【０１２２】
その後は、束カセット８３からの受け入れと同様にして小束紙幣Ｗを束カセット８２から受け入れる。このようにして、束カセット８１〜８６のうちの複数のものから受け入れた後、上記「出金処理」で述べた束カセット８３に対する動作を最後に受け入れを行った束カセットに対して行いつつ、小束紙幣Ｗを出金させる。なお、束カセット８１〜８６のうちの複数のものから受け入れた小束紙幣Ｗを同時に束振分部８０に保持させる場合、束出金口９０から遠いものから順に受け入れを行う。なお、束カセット８２は、金種混合用のカセットであるため、束カセット８３の後に、束振分部８０に出金用の小束紙幣Ｗを繰り出すことはなく、実際には束カセット８３〜８６の中で順次小束紙幣Ｗを束振分部８０に繰り出すことになるが、図示の便宜上、上記の説明とした。
【０１２３】
「機外放出処理」
【０１２４】
入金口２１に投入されたバラ紙幣の中から設定された金種の紙幣を結束して小束紙幣Ｗとするローカル整理処理時において、結束部７５で結束された小束紙幣Ｗを束振分部８０に一時貯留させることなく機外に放出させる以下の「機外放出処理」を行うことになる。この作動について説明する。
【０１２５】
まず、制御部１８５は、図４に示すように、束受渡部７６を上記と同様の受入待機状態とするとともに、図２８に示すように、図３に示す貯留部枠体駆動機構１１３および繰出収納体駆動機構１１４により、貯留部枠体１１１を出金位置よりも機体後方側にあってその前端部を最も機体先方側の束カセット８１の後部上方に位置させる所定の放出対応位置に位置させるとともに、繰出収納体１１２を貯留部枠体１１１に対して基本位置に位置させる。さらに、底板駆動機構１３２によって底板１３１を貯留部枠体１１１に対して機体前方つまり束放出ダクト９３側に突出させて最も機体先方側の束カセット８１の上部開口部１６０を塞ぐ状態とする。
【０１２６】
次に、制御部１８５は、結束部７５で結束された小束紙幣Ｗを「入金時一時貯留処理」と同様に、束受渡部７６の束押さえガイド板９７と受皿９８とで挟持させ下降させる。すると、束受渡部７６は、両背板１２６を閉じた放出対応位置にある貯留部枠体１１１の機体前方で下降し、底板１３１の上に受皿９８を当接させて停止する。
【０１２７】
次いで、制御部１８５は、図３に示すガイド板駆動機構１０１の駆動により、図２９に二点鎖線で示すように、束押さえガイド板９７を上限位置まで上昇させ、その後で、ベース部材駆動機構１０８および受皿駆動機構１０５を駆動してベース部材９６を上昇させながら受皿９８を下方に回動させる。これにより、受皿９８上にあった小束紙幣Ｗが底板１３１上に落下して貯留部枠体１１１の閉状態の背板１２６に当接するように載置される。小束紙幣Ｗを底板１３１に受け渡した後のタイミングで、制御部１８５は受皿駆動機構１０５を駆動して受皿９８を水平状態に戻す。なお、底板１３１の貯留部枠体１１１からの突出長さは、背板１２６に当接する底板１３１上の小束紙幣Ｗを底板１３１よりも機体前方側に突出させる長さとされている。
【０１２８】
次に、制御部１８５は、図３に示す補助板駆動機構１８３およびリフト駆動機構１８４を駆動して、図３０に示すように、基本位置にあった補助板１７７およびリフト１８０を上限位置まで上昇させた後、図３に示す貯留部枠体駆動機構１１３および繰出収納体駆動機構１１４を駆動して束振分部８０をそのまま押出位置まで所定距離前進させる。これにより、小束紙幣Ｗは、底板１３１に載置された状態で底板１３１および貯留部枠体１１１を含む束振分部８０で機体前方側に移送される。このとき、底板１３１から突出する小束紙幣Ｗの突出部分は、補助板１７７の上板部１７６と機体前後方向において重なり合うことになる。この状態で、小束紙幣Ｗは束放出ダクト９３側に一部突出する状態となる。
【０１２９】
次いで、制御部１８５は、図３に示す底板駆動機構１３２を駆動して、図３１に示すように、底板１３１を機体後方側に移動させて貯留部枠体１１１に対し基本位置に戻す。すると、小束紙幣Ｗが機体前方側の一部をリフト１８０上に載置させる状態となる。
【０１３０】
次に、制御部１８５は、図３に示す補助板駆動機構１８３を駆動して、図３２に示すように、補助板１７７を先行して下降させる。すると、その途中で補助板１７７の上板部１７６が小束紙幣Ｗの機体前方側の端部を押さえることになり、自重および図示略のスプリングの付勢力で下方に押圧する。この状態になると、制御部１８５は、図３に示すリフト駆動機構１８４をも駆動してリフト１８０を下限位置まで下降させる。すると、小束紙幣Ｗは、補助板１７７の上板部１７６で押さえられた機体前方側の端部が補助板１７７の自重および図示略のスプリングの付勢力で束放出ダクト９３内に掻き落とされることになり、この部分が下側になってリフト１８０に支承された後、そのまま機体前後方向に狭い幅の束放出ダクト９３に入り込んでリフト１８０とともに下降して放出口９２側に案内される。そして、図３３に示すように、リフト１８０が傾斜板１７４よりも下降すると、小束紙幣Ｗは傾斜板１７４に受け渡され、その傾斜で放出口９２から揺動シャッタ９９を押し開けながら機外へ放出されて前方に設けられた受箱１８８に落下する。リフト１８０の下限位置への下降後、制御部１８５は、束振分部８０をそのまま機体後方側の放出退避位置まで所定距離後退させる。その後、制御部１８５は、リフト１８０を基本位置に戻す。
【０１３１】
そして、機外放出処理において、結束部７５で結束された小束紙幣Ｗが複数ある場合は、上記と同様にして、一束ずつ受箱１８８まで案内する。そして、ローカル整理処理において、集積部５９，６０のいずれかで最後に集積されたバラ紙幣が結束のための所定枚数（１００枚）に満たない場合に、制御部１８５は、この所定枚数に満たない端数紙幣を集積状態のまま図１に示すバッチ移送部７４で結束部７５に送り、結束部７５で結束せずにそのまま受入待機状態にある束受渡部７６の受皿９８上に載置させる。次に、制御部１８５は、図３に示すガイド板駆動機構１０１によって束押さえガイド板９７を下降させる。すると、自重および図示略のスプリングの付勢力で束押さえガイド板９７が端数紙幣を受皿９８に押し付けてこれを受皿９８とで挟持する。
【０１３２】
この状態で、制御部１８５は、図３に示すロック機構７９による開閉板８９のロックを解除する。すると、開閉板８９が開閉可能となり、図３３に示すように、操作者が開閉板８９を手前に引くと、開閉板８９と一体に束受渡部７６が揺動し、開口部８７に近接する。そして、操作者は、開口部８７から手を入れて、スプリングの付勢力に抗して束押さえガイド板９７と受皿９８との間からこれらに挟持された端数紙幣を引き抜いて回収する。
【０１３３】
なお、ローカル整理処理において、束振分部８０の貯留限界数（例えば八束）までの範囲で小束紙幣Ｗを作成する場合、制御部１８２は、上記した「入金時一時貯留処理」と同様にして結束部７５で結束された小束紙幣Ｗを束振分部８０に一時貯留させた状態とし、束振分部８０を束出金口９０に移動させることで機外に取出可能としても良い。つまり一束のみ一時貯留させる場合については、図８（ｂ）に示す状態から、複数束の一時貯留させる場合については、図１１（ａ）に示す状態から、図３に示す貯留部枠体駆動機構１１３および繰出収納体駆動機構１１４の駆動により、貯留部枠体１１１および繰出収納体１１２を、つまり束振分部８０を図２５（ａ）に示すように束出金口９０側の出金位置まで移動させ、その後、図２５（ｂ）に示すように、貯留束押さえ板１３５を上限位置まで上昇させ、束出金口９０を開放させた後、背板１２６を開状態とすることもできる。
【０１３４】
「装填用カセットによる自動装填振分処理」
機体１２に対し着脱可能な装填用の束カセット８１を用いて小束紙幣Ｗを、単一金種収納用の束カセット８３〜８６あるいは金種混合用の束カセット８２に、装填つまり補充する場合について説明する。
【０１３５】
始業時等において、金庫室等で所定の職位の管理者等が、金種別の所定の束数の小束紙幣Ｗを金種混合状態で、束カセット８１に収納させてロックする。このとき、各金種の小束紙幣Ｗをそれぞれ同金種毎にまとまって収納させるようにルール化しておく。例えば、束載置板１６９の上に二千円券の小束紙幣Ｗを４束を載置させ、その上に五千円券の小束紙幣Ｗを４束載置させ、その上に千円券の小束紙幣Ｗを８束載置させ、その上に万円券の小束紙幣Ｗを１０束載置させる等である。
【０１３６】
この装填元の束カセット８１が機体１２にセットされて、操作部１６に「装填用カセットによる自動装填振分処理」を行う旨の操作入力がなされると、制御部１８５は、まず、図１６〜図１９に示す束カセット８３に対する「出金時一時貯留処理」と同様の処理を束カセット８１に対して行う。つまり、制御部１８５は、貯留部枠体１１１および繰出収納体１１２を一体的に、貯留空間１１８を繰り出しを受ける束カセット８１の収納空間１５８の鉛直上方に対し所定量機体前方側にずれて位置させる受入位置まで水平移動させるとともに、基本位置にあった底板１３１を貯留部枠体１１１に対し機体前方側に移動させて、貯留空間１１８の下方開口部１２２の機体後方側を所定量開放させる中間開放位置に位置させた後、束カセット８１の両収納束押さえ爪１６５を揺動させて開状態とする（図１６（ａ）参照）。
【０１３７】
次に、制御部１８５は、束カセット８１の束載置板１６９を、小束紙幣Ｗが貯留束押さえ板１３５を初期上昇位置に位置させるまで上昇させる（図１６（ｂ）参照）。この状態で、繰出収納体１１２の窓部１５０を介してＣＣＤカメラ１４４で束カセット８１における最上位置の小束紙幣Ｗの表面パターンを検出し、その金種等を判別する。次いで、制御部１８５は、貯留部枠体１１１に対し基本位置にあった繰出収納体１１２を小束紙幣Ｗよりも機体後方側にずれる繰出後退位置まで後退させる（図１７（ａ）参照）。その後、制御部１８５は、繰出上昇位置に貯留束押さえ板１３５が位置するまで束載置板１６９を上昇させる（図１７（ｂ）参照）。
【０１３８】
次に、制御部１８５は、貯留部枠体１１１に対し繰出収納体１１２を基本位置に戻るように機体前方側に移動させる（図１８（ａ）参照）。すると、繰出収納体１１２の前端面１１２Ｆが束カセット８１における最上位置の小束紙幣Ｗに当接してこれを貯留部枠体１１１の貯留空間１１８に押し出す。これにより、束カセット８１の最上位置の小束紙幣Ｗは、これを予め上側で押さえていた貯留束押さえ板１３５と底板１３１との間に全体的に入り込んで束振分部８０に貯留された最下位置の小束紙幣Ｗとなる。このようにして最下位置に貯留された小束紙幣Ｗは、次に束カセット８１における最上位置となった小束紙幣Ｗの上部を機体前方側のみ押さえる状態となり、束カセット８１におけるこの最上位置の小束紙幣Ｗの残りの部分の上側を繰出収納体１１２が覆う状態となる。
【０１３９】
次に、制御部１８５は、貯留束押さえ板１３５を初期上昇位置に位置させるように束カセット８１の束載置板１６９を上昇させる。この状態で、繰出収納体１１２の窓部１５０を介してＣＣＤカメラ１４４で上記次の小束紙幣Ｗの表面パターンを検出し、その金種等を判別する。
【０１４０】
束カセット８１における最上位置の小束紙幣Ｗが、先に束振分部８０に貯留させた最下位置の小束紙幣Ｗと同金種であった場合に、制御部１８５は、束カセット８１における最上位置の小束紙幣Ｗを束カセット８１から束振分部８０に繰り出させる。つまり、制御部１８５は、貯留部枠体１１１に対し基本位置にあった繰出収納体１１２を繰出後退位置まで後退させた後（図１８（ｂ）参照）、貯留束押さえ板１３５を繰出上昇位置に位置させるように束載置板１６９を上昇させる（図１９（ａ）参照）。
【０１４１】
その後、制御部１８５は、貯留部枠体１１１に対し繰出収納体１１２を基本位置に戻るように機体前方側に移動させる（図１９（ｂ）参照）。すると、繰出収納体１１２の前端面１１２Ｆが上記した束カセット８１における最上位置の小束紙幣Ｗに当接してこれを貯留部枠体１１１の貯留空間１１８に押し出す。すると、束カセット８１における最上位置の小束紙幣Ｗは、これを予め上側で押さえていた、既に繰り出され背板１２６で機体前方への移動が規制された束振分部８０における最下位置の小束紙幣Ｗと底板１３１との間に全体的に入り込んで束振分部８０に貯留された最下位置の小束紙幣Ｗとなる。このようにして最下位置に貯留された小束紙幣Ｗは、次に束カセット８１における最上位置となった小束紙幣Ｗの上部を機体前方側のみ押さえる状態となり、この小束紙幣Ｗの残りの部分の上側を繰出収納体１１２が覆う状態となる。
【０１４２】
次に、制御部１８５は、貯留束押さえ板１３５を初期上昇位置に位置させるように束カセット８１の束載置板１６９を上昇させる。この状態で、繰出収納体１１２の窓部１５０を介してＣＣＤカメラ１４４で上記次の小束紙幣Ｗの表面パターンを検出し、その金種等を判別する。
【０１４３】
そして、同金種の小束紙幣Ｗが続く場合には、上記を繰り返すことによって、貯留空間にその貯留限界数（例えば八束）までの範囲で、束カセット８１からの同一金種の小束紙幣Ｗを束振分部８０に集積状態で保持させることになる。
【０１４４】
一方、制御部１８５は、上記したＣＣＤカメラ１４４の画像検出時に、現時点で束振分部８０の貯留空間１１８に保持している小束紙幣Ｗと異なる異金種の小束紙幣Ｗが検出された場合と、束載置板１６９の上面の模様が検出された場合と、現時点で束振分部８０の貯留空間１１８に貯留限界数（例えば八束）の小束紙幣Ｗが保持されている場合とについては、上記した「収納処理」と同様にして、貯留空間１１８に保持している同一金種の小束紙幣Ｗをすべて、金種別の束カセット８３〜８６のうちの対応する金種のものに一括して収納させる。
【０１４５】
例えば、束カセット８３に小束紙幣Ｗを収納する場合に、制御部１８５は、まず、伸縮駆動機構１５３を駆動して押圧板１５４を下降させ、この押圧板１５４によって束カセット８１の小束紙幣Ｗおよび束載置板１６９を束カセット８１の収納束押さえ爪１６５よりも下側まで押し込んだ後、束カセット８１において、収納束押さえ爪１６５を閉状態とし、繰出収納体１１２の伸縮駆動機構１５３を収納するとともに、束載置板１６９を上昇させ、束カセット８１の最上位置の小束紙幣Ｗを収納束押さえ爪１６５に当接させる（図２７（ａ）参照）。
【０１４６】
次に、制御部１８５は、底板１３１を貯留部枠体１１１に対し下方開口部１２２を閉塞させる基本位置まで移動させた後、繰出収納体１１２を貯留部枠体１１１と一体に移動させて、図１２〜図１５に示す「収納処理」と同様にして、束振分部８０の貯留空間１１８を収納させるべき所定の束カセット８３に対する収納位置まで水平移動させて、保持していた小束紙幣Ｗを束カセット８３に収納させる。
【０１４７】
以後、同様にして、装填用の束カセット８１に収納された同一金種の小束紙幣Ｗを可能な数だけ束振分部８０に一時貯留させてこれら小束紙幣Ｗを各金種別の束カセット８３〜８６に一括で収納させるという処理を繰り返し、束カセット８１に収納されたすべての小束紙幣Ｗをそれぞれ束カセット８３〜８６の対応する金種のものに補充することで、「装填用カセットによる自動装填振分処理」を終了させる。
【０１４８】
ここで、束カセット８１に、例えば、上記したように束載置板１６９の上に二千円券の小束紙幣Ｗを４束を載置させ、その上に五千円券の小束紙幣Ｗを４束載置させ、その上に千円券の小束紙幣Ｗを８束載置させ、その上に万円券の小束紙幣Ｗを１０束載置させている場合、まず、万円券の小束紙幣Ｗを貯留限界数である８束だけ束振分部８０に一時貯留させた後、これらを束カセット８３〜８６のうちの万円券用のものに一括して収納させ、その後、残り２束の万円券の小束紙幣Ｗを束振分部８０に一時貯留させた後、これらを束カセット８３〜８６のうちの万円券用のものに一括して収納させ、次に、千円券の小束紙幣Ｗを８束すべて束振分部８０に一時貯留させた後、これらを束カセット８３〜８６のうちの千円券用のものに一括して収納させ、次に、五千円券の小束紙幣Ｗを４束すべて束振分部８０に一時貯留させた後、これらを束カセット８３〜８６のうちの五千円券用のものに一括して収納させ、最後に、二千円券の小束紙幣Ｗを４束すべて束振分部８０に一時貯留させた後、これらを束カセット８３〜８６のうちの二千円券用のものに一括して収納させる。
【０１４９】
このようにして行われる「装填用カセットによる自動装填振分処理」に際して、制御部１８５は、金種別の束カセット８３〜８６に振り分けた束数データを金種毎に把握しており、自動装填振分処理に先立って束カセット８１に収納された小束紙幣Ｗの装填データが操作部１６から入力されていた場合には、これと照合して、これらのデータが不一致である場合はエラー表示を行う。これらのデータが一致した場合には、これらのデータに基づいて束カセット８３〜８６の在り高を更新して記憶させる。また、制御部１８５は、自動装填振分処理に先立って装填データが操作部１６から入力されていない場合には、自動装填振分処理で把握したデータに基づいて束カセット８３〜８６の在り高を更新して記憶させる。
【０１５０】
以上のようにして、装填用の複数の小束紙幣Ｗを束カセット８３〜８６に振り分けて収納させる際に、装填用の複数の小束紙幣Ｗを装填用の束カセット８１に収納させておき、同金種である場合に複数束を同時に束振分部８０に一時貯留させ、これら複数の小束紙幣Ｗを一度に束カセット８３〜８６の対応する一つに収納させることができる。
【０１５１】
「束出金口を介しての自動装填振分処理」
図２５（ｂ）に示すように、束出金口９０に位置した状態の束振分部８０には、束出金口９０を介して小束紙幣Ｗが複数集積状態で装填可能であり、このようにして束振分部８０に装填された小束紙幣Ｗを束カセット８１〜８６に収納可能である。つまり、例えば、装填用の束カセット８１を用いず、束出金口９０を介して小束紙幣Ｗを、小口で単一金種用の束カセット８３〜８６に簡易的に装填つまり補充することができる。このような場合について説明する。
【０１５２】
操作部１６に「束出金口を介しての自動装填振分処理」を行う旨の操作入力がなされると、制御部１８５は、上記した「出金処理」の一部作動を省略した作動を行い、束振分部８０を束出金口９０を介して機外に露出させる。つまり、繰出収納体１１２および底板１３１を貯留部枠体１１１に対して基本位置とした状態で、貯留部枠体１１１および繰出収納体１１２を最も機体前方側つまり束出金口９０側の前端位置である出金位置まで移動させる。貯留部枠体１１１が出金位置に位置すると、制御部１８５は、貯留束押さえ板１３５を上限位置まで上昇させ、スライドシャッタ９１を下降させて束出金口９０を開放した後、背板１２６を開状態とする。これにより、束振分部８０が束出金口９０を介して機外に露出する。この状態で、操作者が束振分部８０の貯留空間１１８に貯留限界数の範囲内で小束紙幣Ｗを装填する（図２５（ｂ）参照）。ここで、貯留限界数以下であれば、複数の小束紙幣Ｗを上下に重ねた状態で一度に装填でき、その場合、装填は単一金種であっても複数金種であっても良い。複数金種の場合には、各金種をそれぞれ金種毎にまとめて集積させるようにルール化しておく。
【０１５３】
束振分部８０の貯留空間１１８に対する装填許容範囲内に小束紙幣Ｗが装填されたことが図示略のセンサで検出されると、制御部１８５は、貯留部枠体１１１および繰出収納体１１２を出金退避位置まで所定距離後退させた後、スライドシャッタ９１を上方にスライドさせて束出金口９０を閉塞させる。その後、背板１２６を閉状態とする。このとき、小束紙幣Ｗは、装填許容範囲にあれば、貯留空間１１８から一部はみ出すように載置されていたとしても、背板１２６で貯留空間１１８内に押し込まれて位置が矯正される（図１０（ａ）参照）。なお、貯留空間１１８への小束紙幣Ｗの装填状態をセンサで検出した際に、小束紙幣Ｗが装填許容範囲内になく、背板１２６の閉作動では矯正しきれない位置にある場合に、制御部１８５は、スライドシャッタ９１を閉塞させずにアラームを発生させる。そして、上記のように背板１２６を閉状態とした後、制御部１８５は貯留束押さえ板１３５を貯留する小束紙幣Ｗに当接するまで下降させる。
【０１５４】
そして、このように束振分部８０に貯留された小束紙幣Ｗを、上記した束カセット８３に対する「収納処理」と同様にして、一旦すべて処理前に空の状態にある束カセット８１に一括して収納させる。つまり、貯留部枠体１１１および繰出収納体１１２を一体的に、貯留部枠体１１１の貯留空間１１８を束カセット８１の鉛直上方に位置させる収納位置まで水平移動させた後、束カセット８１の両収納束押さえ爪１６５を揺動させて開状態とする（図１２（ａ）参照）。次に、制御部１８５は、束カセット８１の束載置板１６９を上昇させて、その束載置板１６９を、束振分部８０の底板１３１に当接させる（図１２（ｂ）参照）。次いで、制御部１８５は、貯留部枠体１１１に対し基本位置にあった繰出収納体１１２を若干の所定距離機体後方側の逃げ位置に後退させる。
【０１５５】
次に、制御部１８５は、基本位置にあった底板１３１を貯留部枠体１１１に対し機体前方側に移動させて、貯留空間１１８の下方開口部１２２を全開放させる全開放位置に位置させる（図１３（ａ）参照）。すると、束振分部８０に一時貯留されていたすべての小束紙幣Ｗが、背板１２６で機体前方への移動が規制されながら、貯留束押さえ板１３５とともに、束カセット８１の束載置板１６９の上に重ねられることになり、すべての小束紙幣Ｗが束振分部８０の貯留束押さえ板１３５と束カセット８１の束載置板１６９とで挟持される。
【０１５６】
次に、制御部１８５は、束カセット８１の束載置板１６９を束振分部８０の繰出収納体１１２の上面よりも下側の所定位置に位置するまで束載置板１６９を小束紙幣Ｗとともに下げる（図１３（ｂ）参照）。その後、逃げ位置にあった繰出収納体１１２を機体前方側に所定距離移動させて貯留部枠体１１１に対し基本位置に戻す。
【０１５７】
次に、制御部１８５は、貯留部枠体１１１および繰出収納体１１２を一体に機体前方側に所定距離移動させる。すると、束カセット８１の最上位置の小束紙幣Ｗの上で貯留束押さえ板１３５も機体前方側に所定距離移動することになり、この最上位置の小束紙幣Ｗの機体前方側の一部に掛かる状態になるとともに、繰出収納体１１２の機体前方側の部分がこの最上位置の小束紙幣Ｗの機体後方側の部分を上から覆う状態になる（図１４（ａ）参照）。
【０１５８】
次いで、制御部１８５は、伸縮駆動機構１５３の押圧板１５４を下降させ、束カセット８１のすべての小束紙幣Ｗおよび束載置板１６９を収納束押さえ爪１６５よりも下側まで押し込む（図１４（ｂ）参照）。その後、束カセット８１において、収納束押さえ爪１６５を閉状態とした後、伸縮駆動機構１５３を繰出収納体１１２に収納させるとともに、束載置板１６９を上昇させ、最上位置の小束紙幣Ｗを収納束押さえ爪１６５に当接させる。これにより、束カセット８１内において小束紙幣Ｗを閉状態の収納束押さえ爪１６５と束載置板１６９との間に挟持させる。以上のようにして、束振分部８０に束出金口９０を介して補充され一時貯留されていた複数の小束紙幣Ｗを一括して、束カセット８１に収納させることができる。なお、束カセット８１は、このような自動装填振分時および回収処理時以外では空となっている。
【０１５９】
このようにして、束出金口９０を介して束振分部８０に装填された紙幣を装填用の束カセット８１に収納させた後、制御部１８５は、この装填用の束カセット８１から上記した「装填用カセットによる自動装填振分処理」と同様にして、各金種別の束カセット８３〜８６に小束紙幣Ｗを振り分けて装填させる。このときも、束カセット８１の最上位置の小束紙幣ＷをＣＣＤセンサ１４４で確認しつつ、同金種である場合は、束振分部８０に集積状態で貯留させ、最上位置の小束紙幣Ｗが異金種となった時点で、上記した同金種であった集積状態の小束紙幣Ｗを金種別の束カセット８３〜８６のうちの対応する金種のものに一括して収納させることになる。なお、束カセット８１ではなく、金種別の束カセット８３〜８６のいずれかが満杯にあるときオーバーフロー分の小束紙幣Ｗを収納させる混合用の束カセット８２に一旦小束紙幣Ｗを装填し、この束カセット８２から各金種別の束カセット８３〜８６に振り分けるようにしても良い。
【０１６０】
「混合カセットによる自動装填振分処理」
上記したように、束カセット８２は、束カセット８３〜８６のいずれかが満杯になったときに、オーバーフロー分の小束紙幣Ｗを収納する混合金種収納用カセットであるが、この束カセット８２に収納された小束紙幣Ｗを、単一金種用の束カセット８３〜８６に、振り分けて装填つまり補充する場合について説明する。なお、制御部１８５は、金種別の束カセット８３〜８６の収納空間１５８に余裕がある場合であって、操作部１６に「混合カセットによる自動装填振分処理」を行う旨の操作入力がなされた場合に「混合カセットによる自動装填振分処理」を行うことになる。また、所定の条件が整った場合には操作部１６への操作入力によらずに自動的に「混合カセットによる自動装填振分処理」を行うことになる。
【０１６１】
つまり、制御部１８５は、上記した「装填用カセットによる自動装填振分処理」と同様の処理を束カセット８１にかえて束カセット８２から行う。まず、制御部１８５は、図３４（ａ）に示すように、貯留部枠体１１１および繰出収納体１１２を一体的に、束カセット８２に対し受入位置まで水平移動させるとともに、基本位置にあった底板１３１を下方開口部１２２を所定量開放させる中間開放位置に位置させた後、束カセット８２の両収納束押さえ爪１６５を開状態とする。
【０１６２】
次に、制御部１８５は、図３４（ｂ）に示すように、束カセット８２の束載置板１６９を、小束紙幣Ｗが貯留束押さえ板１３５を初期上昇位置に位置させるまで上昇させる。この状態で、繰出収納体１１２の窓部１５０を介してＣＣＤカメラ１４４で束カセット８２の最上位置の小束紙幣Ｗの表面パターンを検出し、その金種等を判別する。次いで、制御部１８５は、貯留部枠体１１１に対し基本位置にあった繰出収納体１１２を小束紙幣Ｗよりも機体後方側にずれる繰出後退位置まで後退させる。その後、制御部１８５は、繰出上昇位置に貯留束押さえ板１３５が位置するまで束カセット８２の束載置板１６９を上昇させる。
【０１６３】
次に、制御部１８５は、図３５（ａ）に示すように、貯留部枠体１１１に対し繰出収納体１１２を基本位置に戻るように機体前方側に移動させる。すると、繰出収納体１１２が束カセット８２の最上位置の小束紙幣Ｗに当接してこれを貯留部枠体１１１の貯留空間１１８に押し出す。すると、束カセット８２の最上位置の小束紙幣Ｗは、これを予め上側で押さえていた貯留束押さえ板１３５と底板１３１との間に全体的に入り込んで束振分部８０に貯留された最下位置の小束紙幣Ｗとなる。その後、制御部１８５は、繰出上昇位置に貯留束押さえ板１３５が位置するまで束カセット８２の束載置板１６９を上昇させる。この状態で、制御部１８５は、繰出収納体１１２の窓部１５０を介してＣＣＤカメラ１４４で束カセット８２の次に最上位置となった小束紙幣Ｗの表面パターンを検出し、その金種等を判別する。
【０１６４】
束カセット８２における最上位置の小束紙幣Ｗが、先に束振分部８０に貯留させた最下位置の小束紙幣Ｗと同金種であった場合に、制御部１８５は、束カセット８３〜８６のうちこの金種のものに数的に収納が可能である限り、束カセット８２における最上位置の小束紙幣Ｗを束カセット８２から束振分部８０に繰り出させる。つまり、制御部１８５は、貯留部枠体１１１に対し基本位置にあった繰出収納体１１２を繰出後退位置まで後退させ、繰出上昇位置に貯留束押さえ板１３５が位置するまで束載置板１６９を上昇させた後、貯留部枠体１１１に対し繰出収納体１１２を基本位置に戻るように機体前方側に移動させる。すると、繰出収納体１１２が束カセット８２における最上位置の小束紙幣Ｗに当接してこれを貯留部枠体１１１の貯留空間１１８に押し出す。すると、この小束紙幣Ｗは、これを予め上側で押さえていた、既に繰り出され背板１２６で機体前方への移動が規制された束振分部８０における最下位置の小束紙幣Ｗと底板１３１との間に全体的に入り込り込んで束振分部８０に貯留された最下位置の小束紙幣Ｗとなる。その後、制御部１８５は、繰出上昇位置に貯留束押さえ板１３５が位置するまで束カセット８２の束載置板１６９を上昇させる。この状態で、繰出収納体１１２の窓部１５０を介してＣＣＤカメラ１４４で束カセット８２の次に最上位置となった小束紙幣Ｗの表面パターンを検出し、その金種等を判別する。
【０１６５】
そして、束カセット８２からの小束紙幣Ｗに同金種が続く場合には、束カセット８３〜８６のうちこの金種のものに数的に収納が可能である限り、上記を繰り返すことによって、貯留空間１１８にその貯留限界数（例えば八束）までの範囲で、束カセット８２からの同一金種の小束紙幣Ｗを集積状態で保持させることになる。
【０１６６】
次に、制御部１８５は、上記したＣＣＤカメラ１４４の画像検出時に、現時点で束振分部８０の貯留空間１１８に保持している小束紙幣Ｗとは異なる異金種の小束紙幣Ｗが検出された場合と、束載置板１６９の上面の模様が検出された場合と、現時点で束振分部８０の貯留空間１１８に貯留限界数（例えば八束）の小束紙幣Ｗが保持されている場合とについては、図３５（ｂ）に示すように、伸縮駆動機構１５３の押圧板１５４を下降させ、束カセット８２のすべての小束紙幣Ｗおよび束載置板１６９を収納束押さえ爪１６５よりも下側まで押し込む。その後、図３６に示すように、束カセット８２において、収納束押さえ爪１６５を閉状態とした後、押圧板１５４を繰出収納体１１２に収納させる。その後、上記した図１２〜図１５に示す「収納処理」と同様にして、貯留空間１１８に保持している同一金種の小束紙幣Ｗをすべて、金種別の束カセット８３〜８６のうちの対応する金種のものに一括して収納させる。
【０１６７】
そして、オーバーフロー用の束カセット８２に収納された同一金種の小束紙幣Ｗを可能な数だけ束振分部８０に一時貯留させてこれら小束紙幣Ｗを金種別の束カセット８３〜８６に一括で収納させるという処理を繰り返し、束カセット８２に収納されたすべての小束紙幣Ｗをそれぞれ束カセット８３〜８６の対応する金種のものに補充することで、「混合カセットによる自動装填振分処理」を終了させる。
【０１６８】
「自己精査処理」
【０１６９】
各金種別の束カセット８３〜８６に収納されている小束紙幣Ｗの束数、および金種混合の束カセット８２に収納されている小束紙幣Ｗの実際の各金種別の束数を確認する自己精査処理について説明する。なお、制御部１８５は、基本的には各束カセット８２〜８６のそれぞれの金種別の束数を把握しているが、ジャム等の異常が生じると実際の金種別の束数と制御部１８５が把握している金種別束数とに相違を生じる可能性があることからこのような自己精査処理を行う。
【０１７０】
この紙幣処理機１１においては、束振分部８０にＣＣＤカメラ１４４を搭載しており、また、通常は空とされる装填用の束カセット８１があるため、これらを利用して、各金種別の束カセット８３〜８６あるいは金種混合の束カセット８２のうちの対象のものの小束紙幣Ｗを束振分部８０を介してそのＣＣＤカメラ１４４で確認しつつ空の一時収納用の束カセット８１にすべて移載することで、各金種別の束カセット８３〜８６あるいは金種混合の束カセット８２の小束紙幣Ｗの数を確認し、確認後は、元に戻す。
【０１７１】
例えば、操作部１６に、束カセット８３について「自己精査処理」を行う旨の操作入力がなされると、制御部１８５は、まず、上記した「出金時一時貯留処理」と同様の処理を自己精査処理の対象である束カセット８３に対して行う。つまり、制御部１８５は、図１６（ａ）に示すように、貯留部枠体１１１および繰出収納体１１２を一体的に、束カセット８３に対し受入位置まで水平移動させるとともに、基本位置にあった底板１３１を中間開放位置に位置させた後、束カセット８３の両収納束押さえ爪１６５を開状態とする。
【０１７２】
次に、制御部１８５は、図１６（ｂ）に示すように、束カセット８３の束載置板１６９を貯留束押さえ板１３５が初期上昇位置に位置するまで上昇させる。この状態で、繰出収納体１１２の窓部１５０を介してＣＣＤカメラ１４４で束カセット８３の最上位置の小束紙幣Ｗの表面パターンを検出し、その金種等を判別する。次いで、制御部１８５は、図１７（ａ）に示すように、貯留部枠体１１１に対し基本位置にあった繰出収納体１１２を小束紙幣Ｗよりも機体後方側にずれる繰出後退位置まで後退させる。その後、制御部１８５は、図１７（ｂ）に示すように、貯留束押さえ板１３５が繰出上昇位置に位置するまで束載置板１６９を上昇させる。
【０１７３】
次に、制御部１８５は、図１８（ａ）に示すように、貯留部枠体１１１に対し繰出収納体１１２を基本位置に戻るように機体前方側に移動させる。すると、繰出収納体１１２が束カセット８３の最上位置の小束紙幣Ｗに当接してこれを貯留部枠体１１１の貯留空間１１８に押し出す。すると、束カセット８３の最上位置の小束紙幣Ｗは、これを予め上側で押さえていた貯留束押さえ板１３５と底板１３１との間に全体的に入り込んで束振分部８０に貯留された最下位置の小束紙幣Ｗとなる。このようにして最下位置に貯留された小束紙幣Ｗは、束カセット８３の次に最上位置となった小束紙幣Ｗの上部を機体前方側のみ押さえる状態となり、この最上位置の小束紙幣Ｗの残りの部分の上側を繰出収納体１１２が覆う状態となる。次に、制御部１８５は、束カセット８３の束載置板１６９を貯留束押さえ板１３５が初期上昇位置に位置するまで上昇させる。この状態で、繰出収納体１１２の窓部１５０を介してＣＣＤカメラ１４４で束カセット８３の最上位置となった小束紙幣Ｗの表面パターンを検出し、その金種等を判別する。
【０１７４】
続いて、制御部１８５は、束カセット８３の最上位置となった小束紙幣Ｗを束カセット８３から束振分部８０に繰り出させる。つまり、制御部１８５は、図１８（ｂ）に示すように、貯留部枠体１１１に対し基本位置にあった繰出収納体１１２を繰出後退位置まで後退させた後、図１９（ａ）に示すように、束載置板１６９を繰出上昇位置まで上昇させる。さらに、図１９（ｂ）に示すように、貯留部枠体１１１に対し繰出収納体１１２を基本位置に戻るように機体前方側に移動させる。すると、繰出収納体１１２の前端面１１２Ｆが束カセット８３における最上位置の小束紙幣Ｗに当接してこれを貯留部枠体１１１の貯留空間１１８に押し出す。これにより、束カセット８３における最上位置の小束紙幣Ｗは、これを予め上側で押さえていた、既に繰り出され背板１２６で機体前方への移動が規制された束振分部８０における最下位置の小束紙幣Ｗと底板１３１との間に全体的に入り込んで束振分部８０に貯留された最下位置の小束紙幣Ｗとなる。このようにして最下位置に貯留された小束紙幣Ｗは、束カセット８３の次に最上位置となった小束紙幣Ｗの上部を機体前方側のみ押さえる状態となり、この最上位置の小束紙幣Ｗの残りの部分の上側を繰出収納体１１２が覆う状態となる。次に、制御部１８５は、束カセット８３の束載置板１６９を貯留束押さえ板１３５が初期上昇位置に位置するまで上昇させる。この状態で、繰出収納体１１２の窓部１５０を介してＣＣＤカメラ１４４で束カセット８３における最上位置の小束紙幣Ｗの表面パターンを検出し、その金種等を判別する。
【０１７５】
そして、上記を繰り返すことによって、貯留空間１１８にその貯留限界数（例えば八束）までの範囲で、束カセット８３からの小束紙幣Ｗを集積状態で貯留させることになる。
【０１７６】
ここで、自己精査処理開始時点において束振分部８０で一度に貯留できない数の小束紙幣Ｗが束カセット８３に収納されていた場合に、制御部１８５は、貯留空間１１８に保持している同一金種の小束紙幣Ｗを、装填用の束カセット８１に一括して収納させる。
【０１７７】
この場合、制御部１８５は、まず、図３７（ａ）に示すように、繰出収納体１１２はそのままで、底板１３１を含む貯留部枠体１１１を移動させて、束カセット８１に対する収納位置まで水平移動させる。次に、制御部１８５は、図３７（ｂ）に示すように、束カセット８１の両収納束押さえ爪１６５を開状態とするとともに、伸縮駆動機構１５３を駆動して押圧板１５４を下降させ、この押圧板１５４によって束カセット８３の小束紙幣Ｗおよび束載置板１６９を束カセット８３の収納束押さえ爪１６５よりも下側まで押し込む。
【０１７８】
次いで、制御部１８５は、図３８（ａ）に示すように、束カセット８１の束載置板１６９を上昇させて、束振分部８０の底板１３１に当接させるとともに、束カセット８３において、収納束押さえ爪１６５を閉状態とする。繰出収納体１１２の伸縮駆動機構１５３を収納するとともに、束載置板１６９を上昇させ、最上位置の小束紙幣Ｗを収納束押さえ爪１６５に当接させる。
【０１７９】
次に、制御部１８５は、図３８（ｂ）に示すように、底板１３１を貯留部枠体１１１に対し全開放位置に位置させる。すると、底板１３１の移動で、束振分部８０に一時貯留されていたすべての小束紙幣Ｗが貯留束押さえ板１３５とともに、束カセット８１の束載置板１６９の上に重ねられることになり、これらの小束紙幣Ｗが束振分部８０の貯留束押さえ板１３５と束カセット８１の束載置板１６９とで挟持される。
【０１８０】
次に、制御部１８５は、図３９（ａ）に示すように、繰出収納体１１２を貯留部枠体１１１に対して逃げ位置に位置させた後に、貯留束押さえ板１３５を束振分部８０の繰出収納体１１２の上面よりも下側の所定位置に位置させるまで小束紙幣Ｗおよび束カセット８１の束載置板１６９を下げる。
【０１８１】
次に、制御部１８５は、図３９（ｂ）に示すように、底板１３１を貯留部枠体１１１側に移動させながら貯留部枠体１１１および繰出収納体１１２を一体に機体前方側に所定距離移動させる。すると、貯留束押さえ板１３５が、束カセット８１における最上位置の小束紙幣Ｗの機体前方側の一部に掛かる状態になるとともに、繰出収納体１１２の機体前方側の部分が束カセット８１における最上位置の小束紙幣Ｗの機体後方側の部分を上から覆う状態になる。
【０１８２】
次いで、制御部１８５は、図４０（ａ）に示すように、伸縮駆動機構１５３の押圧板１５４を下降させ、束カセット８１のすべての小束紙幣Ｗおよび束載置板１６９を収納束押さえ爪１６５よりも下側まで押し込む。その後、束カセット８１において、収納束押さえ爪１６５を閉状態とした後、伸縮駆動機構１５３を繰出収納体１１２に収納させるとともに、束載置板１６９を上昇させて、小束紙幣Ｗを閉状態の収納束押さえ爪１６５と束載置板１６９との間に挟持させる。
【０１８３】
以上のようにして、束振分部８０に一時貯留されていた複数の小束紙幣Ｗを一度に、束カセット８１に収納させる。必要により、上記を繰り返す。
【０１８４】
そして、制御部１８５は、自己精査処理の対象である束カセット８３のすべての小束紙幣Ｗが繰り出され束カセット８３が空となったことが上記したＣＣＤカメラ１４４による束載置板１６９の上面の模様の検出で確認された時点で束振分部８０に一時貯留されている小束紙幣Ｗは、装填用の束カセット８１に移載せずに、そのまま自己精査処理の対象である束カセット８３に戻し、その後、束カセット８１の小束紙幣Ｗを束カセット８３に戻す。このように、自己精査処理の対象である束カセット８３が空になった時点で束振分部８０に一時貯留されている小束紙幣Ｗを直接束カセット８３に戻すことで精査処理時間を短縮する。
【０１８５】
つまり、図４０（ｂ）に示すように、ＣＣＤカメラ１４４による束載置板１６９の上面の模様の検出で束カセット８３の空が確認されると、制御部１８５は、まず、束振分部８０に一時貯留されている小束紙幣Ｗを、束カセット８３に戻す。つまり、制御部１８５は、図４１（ａ）に示すように、底板１３１を全開放位置まで開放しながら、貯留部枠体１１１および繰出収納体１１２を一体的に、精査処理対象である束カセット８３に対する収納位置まで水平移動させる。すると、束振分部８０に一時貯留されていたすべての小束紙幣Ｗが貯留束押さえ板１３５とともに、束カセット８３の束載置板１６９の上に重ねられることになり、束振分部８０のすべての小束紙幣Ｗが束振分部８０の貯留束押さえ板１３５と束カセット８３の束載置板１６９とで挟持される。次いで、制御部１８５は、貯留部枠体１１１に対し基本位置にあった繰出収納体１１２を若干の所定距離機体後方側の逃げ位置に後退させる。
【０１８６】
次に、制御部１８５は、束載置板駆動機構１７０を駆動して、図４１（ｂ）に示すように、貯留束押さえ板１３５を束振分部８０の繰出収納体１１２の下面よりも若干下側の所定位置に位置するまで束カセット８３の小束紙幣Ｗおよび束載置板１６９を下げる。その後、繰出収納体駆動機構１１４を駆動して、逃げ位置にあった繰出収納体１１２を機体前方側に所定距離移動させて貯留部枠体１１１に対し基本位置に戻す。
【０１８７】
次に、制御部１８５は、貯留部枠体１１１および繰出収納体１１２を一体に機体前方側に所定距離移動させる。すると、図４２（ａ）に示すように、束カセット８３の最上位置の小束紙幣Ｗの上で貯留束押さえ板１３５も機体前方側に所定距離移動することになり、束カセット８３の最上位置の小束紙幣Ｗの機体前方側の一部に掛かる状態になるとともに、繰出収納体１１２の機体前方側の部分が束カセット８３の最上位置の小束紙幣Ｗの機体後方側の部分を上から覆う状態になる。
【０１８８】
次いで、制御部１８５は、図４２（ｂ）に示すように、伸縮駆動機構１５３を駆動して押圧板１５４を下降させ、束カセット８３のすべての小束紙幣Ｗおよび束載置板１６９を束カセット８３の収納束押さえ爪１６５よりも下側まで押し込む。その後、束カセット８３において、収納束押さえ爪１６５を閉状態とした後、伸縮駆動機構１５３を繰出収納体１１２に収納させるとともに、束載置板１６９を上昇させ、図４３（ａ）に示すように、束カセット８３の最上位置の小束紙幣Ｗを収納束押さえ爪１６５に当接させる。これにより、束カセット８３が小束紙幣Ｗを閉状態の収納束押さえ爪１６５と束載置板１６９との間に挟持させる。
【０１８９】
束カセット８１に小束紙幣Ｗを移していた場合には、その後、束カセット８１に収納されていたすべての小束紙幣Ｗを束振分部８０を介して束カセット８３に戻す。つまり、制御部１８５は、図４３（ｂ）に示すように、貯留部枠体１１１を貯留空間１１８を繰り出しを受ける束カセット８１の収納空間１５８の鉛直上方に対し所定量機体前方側にずれて位置させる受入位置まで水平移動させるとともに、繰出収納体１１２を、束カセット８１の収納空間１５８の鉛直上方に対し所定量機体後方側の繰出後退位置に位置させるとともに、底板１３１を貯留空間１１８の下方開口部１２２の機体後方側を所定量開放させる中間開放位置に位置させた状態で、束カセット８１の両収納束押さえ爪１６５を揺動させて開状態とする。
【０１９０】
次に、制御部１８５は、図４４（ａ）に示すように、貯留束押さえ板１３５が繰出上昇位置に位置するまで一気にカセット８１の束載置板１６９を上昇させ、その後、貯留部枠体１１１に対し繰出収納体１１２を基本位置に戻るように機体前方側に移動させる。すると、繰出収納体１１２が束カセット８１の最上位置の小束紙幣Ｗに当接してこれを貯留部枠体１１１の貯留空間１１８に押し出す。これにより、束カセット８１の最上位置の小束紙幣Ｗは、これを予め上側で押さえていた貯留束押さえ板１３５と底板１３１との間に全体的に入り込んで束振分部８０に貯留された最下位置の小束紙幣Ｗとなる。このようにして最下位置に貯留された小束紙幣Ｗは、束カセット８１の次に最上位置となった小束紙幣Ｗの上部を機体前方側のみ押さえる状態となり、この最上位置の小束紙幣Ｗの残りの部分の上側を繰出収納体１１２が覆う状態となる。この場合、すでに金種は確認済みであるため、ＣＣＤカメラの画像検出は行わない。
【０１９１】
上記を必要に応じて繰り返すことにより、図４４（ｂ）に示すように、束カセット８１の小束紙幣Ｗを可能な限り束収納部８０に一時貯留させる。
【０１９２】
制御部１８５は、所定束数の小束紙幣Ｗが保持されると、束振分部８０の貯留空間１１８に保持しているすべての小束紙幣Ｗを、自己精査処理の対象である束カセット８３に戻す。つまり、制御部１８５は、まず、図４５（ａ）に示すように、伸縮駆動機構１５３を駆動して押圧板１５４を下降させ、この押圧板１５４によって束カセット８１のこの場合は束載置板１６９を束カセット８１の収納束押さえ爪１６５よりも下側まで押し込んだ後、束カセット８１において、収納束押さえ爪１６５を閉状態とし、図４５（ｂ）に示すように、繰出収納体１１２の伸縮駆動機構１５３を収納するとともに、束載置板１６９を上昇させ、収納束押さえ爪１６５に当接させる。
【０１９３】
次に、制御部１８５は、繰出収納体１１２を貯留部枠体１１１と一体に移動させて、図１２〜図１５に示す「収納処理」と同様にして、束振分部８０の貯留空間１１８を収納させるべき所定の束カセット８３に対する収納位置まで水平移動させて、保持していた小束紙幣Ｗを一括して束カセット８３に収納させる。
【０１９４】
必要により、装填用の束カセット８１に収納された同一金種の小束紙幣Ｗを可能な限りの数ずつ束振分部８０に一時貯留させてこれら小束紙幣Ｗを自己精査処理対象の束カセット８３に一括で収納させるという処理を繰り返し、束カセット８１に収納されたすべての小束紙幣Ｗを束カセット８３に戻す。
【０１９５】
以上において、束カセット８３のすべての小束紙幣Ｗが繰り出されたことが上記したＣＣＤカメラ１４４による束載置板１６９の上面の模様の検出で確認されるまでＣＣＤカメラ１４４により検出された小束紙幣Ｗの数を、実際に束カセット８３に収納されていた束数とする。
【０１９６】
そして、必要により自己精査処理の対象を他の束カセット８２，８４〜８６として、これらについても同様の自己精査処理を行う。
【０１９７】
なお、上記自己精査処理において、束カセット８１に収納させずに束振分部８０に一時貯留させた後に束カセット８２〜８６のうちの精査対象のものに戻す、最後に束振分部８０に一時貯留させる小束紙幣Ｗの数が多いほど、さらに精査処理時間を短くすることができる。このため、制御部１８５は、以下の処理を行っている。
【０１９８】
制御部１８５は、基本的には各束カセット８２〜８６のそれぞれの金種別の束数を把握しており、自己精査処理を行っても既存のデータとの相違を生じる可能性はかなり低い。このことから、例えば、束カセット８３の自己精査処理を行う場合、その開始にあたって、制御部１８５は、記憶されている既存のデータから、自己精査処理の対象である束カセット８３の束数を読み出す。そして、この束数が束振分部８０の貯留限界数よりも多い場合には、束振分部８０への貯留および束カセット８３への収納を、複数回に分けて行わなければならないことから、束振分部８０の貯留限界数で除算し、その余りである端数を求める。制御部１８５は、この端数がある場合、この端数分の小束紙幣Ｗのみを最初に、上記と同様にして束カセット８３から束振分部８０に集積状態で貯留させて、束カセット８１に一括して移す。すると、上記した既存データが適正であれば（多くの場合は適正）、その後に貯留限界数まで束振分部８０に貯留させて束カセット８１に一括して移すことを繰り返すと、最後に束振分部８０に一時貯留させる小束紙幣Ｗの数が貯留限界数となり、束カセット８１に収納させずに束振分部８０に一時貯留させた後に束カセット８３に戻す、最後に束振分部８０に一時貯留させる小束紙幣Ｗの数が最大の貯留限界数となり、最も自己精査処理の処理時間を短くすることができる。
【０１９９】
具体的に、例えば、束カセット８３の自己精査処理を行う場合、その開始にあたって、既存データが２０束であって束振分部８０の貯留限界数が８束である場合に、制御部１８５は、４束が端数分となるため、まず、４束の小束紙幣Ｗを４回の繰り出しで束カセット８３から束振分部８０に一時貯留させ、これら４束の小束紙幣Ｗを束振分部８０から一括で束カセット８１に移す。この所要時間は、４回（４束）の小束紙幣Ｗの束カセット８３から束振分部８０への繰出時間と、小束紙幣Ｗの束振分部８０から束カセット８１への１回（４束）の一括収納時間とを加算した時間となる。
【０２００】
次に、８束の小束紙幣Ｗを束カセット８３から束振分部８０に一時貯留させ、これら８束の小束紙幣Ｗを束振分部８０から束カセット８１に移す。この所要時間は、８回（８束）の繰出時間と１回（８束）の一括収納時間とを加算した時間となる。
【０２０１】
最後に、８束の小束紙幣Ｗを束カセット８３から束振分部８０に一時貯留させると、既存データが適正であれば、ＣＣＤカメラ１４４で束載置板１６９を検出することになり、これによって、既存データが適正であることを確認する。この所要時間は、８回（８束）の繰出時間となる。
以上の繰出側の合計の所要時間は、２０回（２０束）の繰出時間＋２回（１２束）の一括収納時間となる。
【０２０２】
そして、上記した小束紙幣Ｗの２０束を再び束カセット８３に戻すときには、束振分部８０に一時貯留させていた１回（８束）の一括収納時間と、束カセット８１に移されていた８回（８束）の繰出時間＋１回（８束）の一括収納時間＋４回（４束）の繰出時間＋１回（４束）の一括収納時間となり、これらの合計である戻り側の合計の所要時間は、１２回（１２束）の繰出時間＋３回（２０束）の一括収納時間となる。
【０２０３】
総計として、３２回（３２束）の繰出時間＋５回（３２束）の一括収納時間となる。
【０２０４】
これに対して、最初に貯留限界数まで一時貯留させ、最後に端数を一時貯留させる場合には、繰出側は、８回（８束）の繰出時間＋１回（８束）の一括収納時間＋８回（８束）の繰出時間＋１回（８束）の一括収納時間＋４回（４束）の繰出時間となり、戻り側は、１回（４束）の一括収納時間＋８回（８束）の繰出時間＋１回（８束）の一括収納時間＋８回（８束）の繰出時間＋１回（８束）の一括収納時間となり、総計として、３６回（３６束）の繰出時間＋５回（３６束）の一括収納時間となり、繰出時間が４回（４束）分、上記に比して長くなってしまう。しかも、一括収納時間の時間も、回数は同じであるもののそのうちの１回が４束分上記に比してストロークが長く必要となり、その分も処理時間が長くなってしまう。そして、実際には、自己精査処理を束カセット８２〜８６の５台について別々に行うことになるため、その５倍の時間が長く必要になってしまうのである。
【０２０５】
なお、頻度は少ないものの既存データが実際の束数と異なっている場合もあるため、既存データよりも実際の束数が多いことを想定して、既存データに余裕束数（例えば一束）を加算してから、貯留限界数で除算し、その余りである端数を求めても良い。このようにすれば、既存データが適正であれば、最後に束振分部８０に一時貯留させる小束紙幣Ｗの数が貯留限界数から余裕束数分少ないものとなるが、既存データが実際の束数よりも余裕束数の範囲内で多い場合にこれを吸収でき、最後に束振分部８０に一時貯留させる小束紙幣Ｗの数が少数になってしまうことを防止できる 。
【０２０６】
「回収処理」
装填用の束カセット８１に束カセット８３〜８６から小束紙幣Ｗを移し、束カセット８１ごと機外に取り出す回収処理は、上記した「自己精査処理」と同様にして、例えば、束カセット８３〜８６から小束紙幣Ｗを束振分部８０を介して束カセット８１に移して行う。
【０２０７】
以上に述べた本実施形態によれば、結束部７５から小束紙幣Ｗを受け取って搬送する束振分部８０が結束部７５から受け取った小束紙幣Ｗを複数束集積させて貯留させることになり、このように集積状態で貯留させた複数束の小束紙幣Ｗを一括して束カセット８１〜８６に受け渡す。これにより、小束紙幣Ｗの収納に要する時間を大幅に短縮することができる。
【０２０８】
また、束振分部８０は、束出金口９０に移動することで、集積状態で貯留させた複数束の小束紙幣Ｗを束出金口９０から出金させることができる。したがって、ローカル整理処理等において、結束部７５で結束させた複数束の小束紙幣Ｗを一括して機外に出金させることができる。
【０２０９】
さらに、束振分部８０は、束出金口９０側に開閉可能な背板１２６が設けられているため、移動時に背板１２６を閉めておき、出金時にこの背板１２６を開くことで、複数束の小束紙幣Ｗを集積状態で確実に搬送することができ、出金時には良好に取り出させることができる。
【０２１０】
加えて、束振分部８０が、束カセット８１〜８６から小束紙幣Ｗを受け取って複数束集積させた状態で、束出金口９０側に移動すれば、束カセット８１〜８６からの出金用の搬送機構も兼ねることができる。したがって、コストを低減することができ、コンパクト化が図れる。
【０２１１】
さらに、束振分部８０が、複数の束カセット８１〜８６の配列方向に沿ってこれら束カセット８１〜８６の上側を一方向に水平移動することで、各束カセット８１〜８６に対して小束紙幣Ｗを受け渡したり、各束カセット８１〜８６から小束紙幣Ｗを受け取ったり、束出金口９０から小束紙幣Ｗを出金させたりできるため、構造を簡素化することができるとともに、高さ方向にコンパクト化が図れる。
【０２１２】
加えて、束振分部８０が、小束紙幣Ｗを複数束集積させて貯留可能な貯留部枠体１１１と、貯留部枠体１１１に対し側方移動可能な底板１３１とを有するため、簡素な構造であっても、複数束の小束紙幣Ｗを安定して搬送することができ、複数束を一括して束カセット８１〜８６に選択的に受け渡すことができる。
【図面の簡単な説明】
【０２１３】
【図１】本発明の一実施形態に係る紙幣処理機を示すもので、（ａ）は正面図、（ｂ）は正面から見て左側の断面図、（ｃ）は正面から見て右側の断面図である。
【図２】本発明の一実施形態に係る紙幣処理機の要部を示す透過斜視図である。
【図３】本発明の一実施形態に係る紙幣処理機の要部を示すブロック図である。
【図４】本発明の一実施形態に係る紙幣処理機の要部を示すもので、（ａ）は平面図、（ｂ）は側面図である。
【図５】本発明の一実施形態に係る紙幣処理機の繰出収納体を示す断面図である。
【図６】本発明の一実施形態に係る紙幣処理機の要部の動作説明図である。
【図７】本発明の一実施形態に係る紙幣処理機の要部の動作説明図である。
【図８】本発明の一実施形態に係る紙幣処理機の要部の動作説明図である。
【図９】本発明の一実施形態に係る紙幣処理機の要部の動作説明図である。
【図１０】本発明の一実施形態に係る紙幣処理機の要部の動作説明図である。
【図１１】本発明の一実施形態に係る紙幣処理機の要部の動作説明図である。
【図１２】本発明の一実施形態に係る紙幣処理機の要部の動作説明図である。
【図１３】本発明の一実施形態に係る紙幣処理機の要部の動作説明図である。
【図１４】本発明の一実施形態に係る紙幣処理機の要部の動作説明図である。
【図１５】本発明の一実施形態に係る紙幣処理機の要部の動作説明図である。
【図１６】本発明の一実施形態に係る紙幣処理機の要部の動作説明図である。
【図１７】本発明の一実施形態に係る紙幣処理機の要部の動作説明図である。
【図１８】本発明の一実施形態に係る紙幣処理機の要部の動作説明図である。
【図１９】本発明の一実施形態に係る紙幣処理機の要部の動作説明図である。
【図２０】本発明の一実施形態に係る紙幣処理機の要部の動作説明図である。
【図２１】本発明の一実施形態に係る紙幣処理機の要部の動作説明図である。
【図２２】本発明の一実施形態に係る紙幣処理機の要部の動作説明図である。
【図２３】本発明の一実施形態に係る紙幣処理機の要部の動作説明図である。
【図２４】本発明の一実施形態に係る紙幣処理機の要部の動作説明図である。
【図２５】本発明の一実施形態に係る紙幣処理機の要部の動作説明図である。
【図２６】本発明の一実施形態に係る紙幣処理機の要部の動作説明図である。
【図２７】本発明の一実施形態に係る紙幣処理機の要部の動作説明図である。
【図２８】本発明の一実施形態に係る紙幣処理機の要部の動作説明図である。
【図２９】本発明の一実施形態に係る紙幣処理機の要部の動作説明図である。
【図３０】本発明の一実施形態に係る紙幣処理機の要部の動作説明図である。
【図３１】本発明の一実施形態に係る紙幣処理機の要部の動作説明図である。
【図３２】本発明の一実施形態に係る紙幣処理機の要部の動作説明図である。
【図３３】本発明の一実施形態に係る紙幣処理機の要部の動作説明図である。
【図３４】本発明の一実施形態に係る紙幣処理機の要部の動作説明図である。
【図３５】本発明の一実施形態に係る紙幣処理機の要部の動作説明図である。
【図３６】本発明の一実施形態に係る紙幣処理機の要部の動作説明図である。
【図３７】本発明の一実施形態に係る紙幣処理機の要部の動作説明図である。
【図３８】本発明の一実施形態に係る紙幣処理機の要部の動作説明図である。
【図３９】本発明の一実施形態に係る紙幣処理機の要部の動作説明図である。
【図４０】本発明の一実施形態に係る紙幣処理機の要部の動作説明図である。
【図４１】本発明の一実施形態に係る紙幣処理機の要部の動作説明図である。
【図４２】本発明の一実施形態に係る紙幣処理機の要部の動作説明図である。
【図４３】本発明の一実施形態に係る紙幣処理機の要部の動作説明図である。
【図４４】本発明の一実施形態に係る紙幣処理機の要部の動作説明図である。
【図４５】本発明の一実施形態に係る紙幣処理機の要部の動作説明図である。
【符号の説明】
【０２１４】
１１  紙幣処理機（小束紙幣処理機）
１２  機体
７５  結束部
８０  束振分部
８１〜８６  束カセット（束収納部）
９０  束出金口
１１１  貯留部枠体
１１８  貯留空間
１２２  下方開口部
１２６  背板（扉）
１３１  底板
Ｗ  小束紙幣
【図１】
2006252070.tif 000003
【図２】
2006252070.tif 000004
【図３】
2006252070.tif 000005
【図４】
2006252070.tif 000006
【図５】
2006252070.tif 000007
【図６】
2006252070.tif 000008
【図７】
2006252070.tif 000009
【図８】
2006252070.tif 000010
【図９】
2006252070.tif 000011
【図１０】
2006252070.tif 000012
【図１１】
2006252070.tif 000013
【図１２】
2006252070.tif 000014
【図１３】
2006252070.tif 000015
【図１４】
2006252070.tif 000016
【図１５】
2006252070.tif 000017
【図１６】
2006252070.tif 000018
【図１７】
2006252070.tif 000019
【図１８】
2006252070.tif 000020
【図１９】
2006252070.tif 000021
【図２０】
2006252070.tif 000022
【図２１】
2006252070.tif 000023
【図２２】
2006252070.tif 000024
【図２３】
2006252070.tif 000025
【図２４】
2006252070.tif 000026
【図２５】
2006252070.tif 000027
【図２６】
2006252070.tif 000028
【図２７】
2006252070.tif 000029
【図２８】
2006252070.tif 000030
【図２９】
2006252070.tif 000031
【図３０】
2006252070.tif 000032
【図３１】
2006252070.tif 000033
【図３２】
2006252070.tif 000034
【図３３】
2006252070.tif 000035
【図３４】
2006252070.tif 000036
【図３５】
2006252070.tif 000037
【図３６】
2006252070.tif 000038
【図３７】
2006252070.tif 000039
【図３８】
2006252070.tif 000040
【図３９】
2006252070.tif 000041
【図４０】
2006252070.tif 000042
【図４１】
2006252070.tif 000043
【図４２】
2006252070.tif 000044
【図４３】
2006252070.tif 000045
【図４４】
2006252070.tif 000046
【図４５】
2006252070.tif 000047